(57)【要約】  本願の実施形態では、端末の１つのセッションが複数のローカルエリアネットワークサービスに接続されている場合に、端末の位置に基づいて１または複数のローカルエリアネットワークでの端末の通信を制限することができるように、ローカルエリアネットワーク通信方法、装置、およびシステムを提供する。方法は、セッション管理ネットワーク要素が、セッション管理プロセスにおいて、セッションによってアクセスされる各５Ｇローカルエリアネットワーク５ＧＬＡＮサービスに対応するユーザ機器ＵＥのアドレスまたは仮想ローカルエリアネットワーク識別子ＶＩＤ情報を取得する段階と、ローカルエリアネットワークコントローラＬＡＮコントローラから各５ＧＬＡＮサービスのサービスエリア情報を取得する段階と、を含む。ＳＭＦは、モビリティ管理ネットワーク要素から、各５ＧＬＡＮサービスに基づくモビリティイベントに加入し、ＳＭＦのサービスエリアに基づくモビリティイベントレポートと、それに対応する５ＧＬＡＮ識別子を取得する。ＳＭＦは、モビリティイベントレポートに基づいて、ユーザプレーンネットワーク要素の対応するセッションのルールを更新する。
2022501930.tif 000002
【特許請求の範囲】
【請求項１】
ローカルエリアネットワーク通信方法であって、
ポリシ制御ネットワーク要素が、セッション管理ネットワーク要素から第１のイベントレポートを受信する段階であって、前記第１のイベントレポートは、第１のイベントおよび第１のローカルエリアネットワークの指示情報を有し、前記第１のイベントは、端末が前記第１のローカルエリアネットワークのサービスエリアに移動したことまたはサービスエリアから移動したことを有する段階と、
前記ポリシ制御ネットワーク要素が、前記第１のイベントおよび前記指示情報に基づいて、前記端末に対応するポリシおよび課金制御（ＰＣＣ）ルールを更新する段階と、
前記ポリシ制御ネットワーク要素が、前記更新されたＰＣＣルールを前記セッション管理ネットワーク要素に送信する段階と、を有する方法。
【請求項２】
前記方法は、
ポリシ制御ネットワーク要素によって、セッション管理ネットワーク要素から第１のイベントレポートを前記受信する段階の前に、
前記ポリシ制御ネットワーク要素によって、第１の加入要求メッセージを前記セッション管理ネットワーク要素に送信する段階であって、前記第１の加入要求メッセージは、前記第１のローカルエリアネットワークの前記指示情報を保持し、前記端末のものであり、前記第１のローカルエリアネットワークに関連するモビリティイベントに加入することを要求するために使用される段階をさらに有する、請求項１に記載の方法。
【請求項３】
前記第１の加入要求メッセージは、前記第１のローカルエリアネットワークのサービスエリア情報をさらに保持する、請求項２に記載の方法。
【請求項４】
前記ポリシ制御ネットワーク要素が、前記第１のイベントおよび前記指示情報に基づいて、前記端末に対応する前記更新されたＰＣＣルールを前記更新する段階は、
前記ポリシ制御ネットワーク要素が、前記指示情報に基づいて前記端末のアドレスを決定する段階と、
前記ポリシ制御ネットワーク要素が、前記第１のイベントおよび前記端末のものである前記アドレスに基づいて、前記端末に対応する前記更新されたＰＣＣルールを更新する段階と、を有する、請求項１から３のいずれか１項に記載の方法。
【請求項５】
前記ポリシ制御ネットワーク要素が、前記第１のイベントおよび前記指示情報に基づいて、前記端末に対応する前記更新されたＰＣＣルールを前記更新する段階は、
前記ポリシ制御ネットワーク要素によって、前記第１のローカルエリアネットワークの前記指示情報に基づいて、前記端末の仮想ローカルエリアネットワーク識別子を決定する段階と、
前記第１のイベントおよび前記端末の前記仮想ローカルエリアネットワーク識別子に基づいて、前記ポリシ制御ネットワーク要素により、前記端末に対応する前記更新されたＰＣＣルールを更新する段階と、を有する、請求項１から３のいずれか１項に記載の方法。
【請求項６】
ローカルエリアネットワーク通信方法であって、
セッション管理ネットワーク要素が、第１のイベントレポートをポリシ制御ネットワーク要素に送信する段階であって、前記第１のイベントレポートは、第１のイベントおよび第１のローカルエリアネットワークの指示情報を有し、前記第１のイベントは、端末が前記第１のローカルエリアネットワークのサービスエリアに移動したことまたはサービスエリアから移動したことを有する段階と、
前記セッション管理ネットワーク要素が、前記ポリシ制御ネットワーク要素から、前記端末に対応する更新された第１のポリシおよび課金制御（ＰＣＣ）ルールを受信する段階と、
前記セッション管理ネットワーク要素が、前記更新されたＰＣＣルールに基づいて、前記端末のセッションを修正する段階と、を有する方法。
【請求項７】
前記方法は、
セッション管理ネットワーク要素によって、ポリシ制御ネットワーク要素に第１のイベントレポートを前記送信する段階の前に、
前記セッション管理ネットワーク要素によって、前記ポリシ制御ネットワーク要素から第１の加入要求メッセージを受信する段階であって、前記第１の加入要求メッセージは、前記第１のローカルエリアネットワークの前記指示情報を保持し、前記端末のものであり、前記第１のローカルエリアネットワークに関連するモビリティイベントに加入することを要求するために使用される段階、をさらに有する請求項６に記載の方法。
【請求項８】
前記第１の加入要求メッセージは、前記第１のローカルエリアネットワークのサービスエリア情報をさらに保持する、請求項７に記載の方法。
【請求項９】
前記セッション管理ネットワーク要素によって、前記更新されたＰＣＣルールに基づいて前記端末のセッションを前記修正する段階は、
前記更新されたＰＣＣルールが、前記端末が前記第１のローカルエリアネットワークにおいてデータをルーティングすることが許可されていることを示す場合、前記セッション管理ネットワーク要素によって、ユーザプレーン機能ネットワーク要素に第１のルーティングルールを設定するように指示する段階であって、前記第１のルーティングルールは、前記端末のアドレスまたは前記端末の仮想ローカルエリアネットワーク識別子を有する段階を、有する請求項６から８のいずれか１項に記載の方法。
【請求項１０】
前記方法は、
前記端末の前記セッションが非アクティブ化されている場合、前記セッション管理ネットワーク要素によって、前記端末の前記セッションのユーザプレーン接続をアクティブ化する段階、をさらに有する請求項９に記載の方法。
【請求項１１】
前記セッション管理ネットワーク要素によって、前記更新されたＰＣＣルールに基づいて前記端末のセッションを前記修正する段階は、
前記更新されたＰＣＣルールが、前記端末が前記第１のローカルエリアネットワークにおいてデータをルーティングすることが許可されていないことを示す場合、前記セッション管理ネットワーク要素によって、ユーザプレーン機能ネットワーク要素に第１のルーティングルールを削除するように指示する段階であって、前記第１のルーティングルールは、前記端末のアドレスまたは前記端末の仮想ローカルエリアネットワーク識別子を有する段階を、有する請求項６から８のいずれか１項に記載の方法。
【請求項１２】
前記方法は、
前記端末の前記セッションが、前記第１のローカルエリアネットワークのみへのアクセスを許可されている場合、前記セッション管理ネットワーク要素によって、前記端末の前記セッションのユーザプレーン接続を非アクティブ化するか、または前記端末の前記セッションを直接リリースする段階をさらに有する、請求項１１に記載の方法。
【請求項１３】
ポリシ制御ネットワーク要素であって、前記ポリシ制御ネットワーク要素は、トランシーバモジュールと処理モジュールとを有し、
前記トランシーバモジュールは、セッション管理ネットワーク要素から第１のイベントレポートを受信するように構成されており、前記第１のイベントレポートは、第１のイベントおよび第１のローカルエリアネットワークの指示情報を有し、前記第１のイベントは、端末が前記第１のローカルエリアネットワークのサービスエリアに移動したことまたはサービスエリアから移動したことを有し、
前記処理モジュールは、前記第１のイベントおよび前記指示情報に基づいて、前記端末に対応する第１のポリシおよび課金制御（ＰＣＣ）ルールを更新するように構成され、
前記トランシーバモジュールは、更新された第１のＰＣＣルールを前記セッション管理ネットワーク要素に送信するようにさらに構成される、ポリシ制御ネットワーク要素。
【請求項１４】
前記トランシーバモジュールは、前記セッション管理ネットワーク要素に第１の加入要求メッセージを送信するようにさらに構成され、前記第１の加入要求メッセージは、前記第１のローカルエリアネットワークの指示情報を保持し、前記端末のモビリティイベントであって前記第１のローカルエリアネットワークに関連するモビリティイベントに加入することを要求するために使用される、請求項１３に記載のポリシ制御ネットワーク要素。
【請求項１５】
前記処理モジュールは、
前記指示情報に基づいて、前記端末のアドレスを決定し、
前記第１のイベントおよび前記端末のアドレスに基づいて、前記端末に対応する更新されたＰＣＣルールを更新する、
ように構成される、請求項１３または１４に記載のポリシ制御ネットワーク要素。
【請求項１６】
前記処理モジュールは、
前記第１のローカルエリアネットワークの前記指示情報に基づいて、前記端末の仮想ローカルエリアネットワーク識別子を決定し、
前記第１のイベントおよび前記端末の前記仮想ローカルエリアネットワーク識別子に基づいて、前記端末に対応する前記更新されたＰＣＣルールを更新する段階とように構成される、請求項１３または１４に記載のポリシ制御ネットワーク要素。
【請求項１７】
セッション管理ネットワーク要素であって、前記セッション管理ネットワーク要素は、処理モジュールおよびトランシーバモジュールを有し、
前記トランシーバモジュールは、ポリシ制御ネットワーク要素に第１のイベントレポートを送信するように構成されており、前記第１のイベントレポートは、第１のイベントおよび第１のローカルエリアネットワークの指示情報を有し、前記第１のイベントは、端末が前記第１のローカルエリアネットワークのサービスエリアに移動したことまたは前記サービスエリアから移動したことを有し、
前記トランシーバモジュールは、前記端末に対応する更新された第１のポリシおよび課金制御（ＰＣＣ）ルールを前記ポリシ制御ネットワーク要素から受信するようにさらに構成され、
前記処理モジュールは、前記更新されたＰＣＣルールに基づいて、前記端末のセッションを修正するように構成される、セッション管理ネットワーク要素。
【請求項１８】
前記トランシーバモジュールは、前記ポリシ制御ネットワーク要素から第１の加入要求メッセージを受信するようにさらに構成され、前記第１の加入要求メッセージは、前記第１のローカルエリアネットワークの指示情報を保持し、前記端末のものであり、前記第１のローカルエリアネットワークに関連するモビリティイベントに加入することを要求するために使用される、請求項１７に記載のセッション管理ネットワーク要素。
【請求項１９】
前記処理モジュールは、
前記更新されたＰＣＣルールが、前記端末が第１のローカルエリアネットワーク内でデータをルーティングすることが許可されていることを示す場合、ユーザプレーン機能ネットワーク要素に第１のルーティングルールを設定するよう指示し、前記第１のルーティングルールは、前記端末のアドレスまたは前記端末の仮想ローカルエリアネットワーク識別子を有する、
ように構成される、請求項１７または１８に記載のセッション管理ネットワーク要素。
【請求項２０】
前記処理モジュールは、前記端末の前記セッションが非アクティブ化されている場合、前記端末の前記セッションのユーザプレーン接続をアクティブ化するようにさらに構成される、請求項１９に記載のセッション管理ネットワーク要素。
【請求項２１】
前記処理モジュールは、
前記更新されたＰＣＣルールが、前記端末が第１のローカルエリアネットワーク内でデータをルーティングすることを許可されていないことを示す場合、ユーザプレーン機能ネットワーク要素に、第１のルーティングルールを削除するように指示し、前記第１のルーティングルールは、前記端末のアドレスまたは前記端末の仮想ローカルエリアネットワーク識別子を有する、
ように構成される、請求項１７または１８に記載のセッション管理ネットワーク要素。
【請求項２２】
前記処理モジュールは、前記端末の前記セッションが前記第１のローカルエリアネットワークのみへのアクセスを許可されている場合、前記端末の前記セッションのユーザプレーン接続を非アクティブ化するか、または前記端末の前記セッションを直接リリースするようにさらに構成されている、請求項２１に記載のセッション管理ネットワーク要素。
【請求項２３】
通信装置であって、
少なくとも１つのプロセッサ、および、
前記少なくとも１つのプロセッサに結合され、前記少なくとも１つのプロセッサによって実行されるとき、装置に請求項１から５のいずれか１項に記載の方法を実行させるプログラム命令が記憶されたメモリと、を有する通信装置。
【請求項２４】
通信装置であって、
少なくとも１つのプロセッサ、および、
前記少なくとも１つのプロセッサに結合され、前記少なくとも１つのプロセッサによって実行されるとき、装置に請求項６から１２のいずれか１項に記載の方法を実行させるプログラム命令が記憶されたメモリと、を有する通信装置。
【請求項２５】
装置に請求項１から５のいずれか１項に記載の方法を実行させる、コンピュータプログラム。
【請求項２６】
装置に請求項６から１２のいずれか１項に記載の方法を実行させる、コンピュータプログラム。
【請求項２７】
ローカルエリアネットワーク通信を行う通信システムであって、前記通信システムは、請求項１３から１６のいずれか１項に記載のポリシ制御ネットワーク要素と、請求項１７から２２のいずれか１項に記載のセッション管理ネットワーク要素とを有する、通信システム。
【発明の詳細な説明】
【技術分野】
【０００１】
本願は、２０１８年９月３０日に中国国家知識産権局に出願された、「ローカルエリアネットワーク通信方法、装置、およびシステム」と題された中国特許出願第２０１８１１１６６３０８．８号の優先権を主張するものであり、その内容は参照により全体が本明細書に組み込まれる。
【０００２】
本願は、通信技術の分野に関し、特に、ローカルエリアネットワーク通信方法、装置、およびシステムに関する。
【背景技術】
【０００３】
第５世代（５ｔｈ  ｇｅｎｅｒａｔｉｏｎ，  ５Ｇ）ローカルエリアネットワーク（Ｌｏｃａｌ  Ａｒｅａ  Ｎｅｔｗｏｒｋ，  ５ＧＬＡＮ）サービスは、現在の５Ｇネットワークで提供されるサービスで、主にホームコミュニケーション、企業のオフィスワーク、工場の製造、自動車のインターネット、電力網の再構築、公安機関などで使用されている。５ＧＬＡＮサービスは、端末グループの中の２または複数の端末に対して、インターネットプロトコル（ｉｎｔｅｒｎｅｔ  ｐｒｏｔｏｃｏｌ，  ＩＰ）タイプまたは非ＩＰタイプ（例えば、イーサネット（登録商標）タイプ）のプライベート通信を提供することができる。例えば、工場内の装置がグループを形成してよく、そのグループ内の装置が互いにイーサネット（登録商標）パケットを送信してよく、または企業のある部門の従業員のオフィス設備（携帯電話、コンピュータ、またはノートブックコンピュータなど）がグループを形成し、互いにＩＰパケットを送信してよい。２つの端末が同じグループに入っていない場合、２つの端末はお互いに通信できない。
【０００４】
５ＧＬＡＮのサービスにはエリア制限があり、言い換えれば、５ＧＬＡＮのサービスエリアがある。例えば、５Ｇネットワークは、特定の工場にある装置に対して、特定の５ＧＬＡＮサービスを提供する。装置が５ＧＬＡＮのサービスエリア外に移動した場合、５Ｇネットワークは、装置の位置に基づいて、装置が５ＧＬＡＮのサービスを使用することを禁止する必要がある。装置が５ＧＬＡＮのサービスエリアに移動するとき、５Ｇネットワークは装置の位置に基づいて、装置に５ＧＬＡＮサービスを提供する必要がある。
【０００５】
従来の技術では、端末の１つのプロトコルデータユニット（ｐｒｏｔｏｃｏｌ  ｄａｔａ  ｕｎｉｔ，  ＰＤＵ）セッションは、１つのデータネットワークとしか関連付けることができない。１つのセッションが１つの５ＧＡＬＮサービスに接続されている場合に、端末の位置に基づいて５ＧＬＡＮの端末の通信を制限するために、データネットワーク名（ｄａｔａ  ｎｅｔｗｏｒｋ  ｎａｍｅ、ＤＮＮ）を使用して５ＧＬＡＮサービスを識別してよく、次に、データネットワーク関連のローカルエリアネットワークデータ（ｌｏｃａｌ  ａｒｅａ  ｎｅｔｗｏｒｋ  ｄａｔａ  ｎｅｔｗｏｒｋ、ＬＡＤＮ）機構またはアプリケーション機能（ａｐｐｌｉｃａｔｉｏｎ  ｆｕｎｃｔｉｏｎ、ＡＦ）の影響（ｉｎｆｌｕｅｎｃｅ）機構を使用してもよい。
【０００６】
しかしながら、ＬＡＤＮ機構またはＡＦ影響機構はセッション粒度であり、１つのセッションが複数の５ＧＬＡＮサービスに接続できる場合には、ＬＡＤＮ機構またはＡＦ影響機構は使用できない。この場合、５ＧＬＡＮのサービスエリア内での端末の通信を、端末の位置に基づいてどのように制限するかが、解決すべき緊急の課題となる。
【発明の概要】
【０００７】
本願の実施形態では、端末の１つのセッションが複数のローカルエリアネットワークサービスに接続されている場合に、端末の位置に基づいて１または複数のローカルエリアネットワークでの端末の通信を制限することができるように、ローカルエリアネットワーク通信方法、装置、およびシステムを提供する。
【０００８】
前述の目的を達成するために、本願の実施形態では以下のような技術的解決手段を用いる。
【０００９】
第１の態様によれば、ローカルエリアネットワーク通信方法が提供される。この方法は、ポリシ制御ネットワーク要素が、セッション管理ネットワーク要素から第１のイベントレポートを受信する段階であって、ここで、第１のイベントレポートは、第１のイベントおよび第１のローカルエリアネットワークの指示情報を含み、第１のイベントは、端末が第１のローカルエリアネットワークのサービスエリアに移動したことまたはサービスエリアから移動したことを含む段階と、ポリシ制御ネットワーク要素が、第１のイベントおよび指示情報に基づいて、端末に対応する第１のポリシおよび課金制御ＰＣＣルールを更新する段階と、ポリシ制御ネットワーク要素が、更新された第１のＰＣＣルールをセッション管理ネットワーク要素に送信する段階と、を含む。この解決手段に基づいて、ポリシ制御ネットワーク要素は、第１のイベントおよび第１のローカルエリアネットワークの指示情報を含む第１のイベントレポートを受信した後に、端末に対応する第１のＰＣＣルールを更新することができるので、セッション管理ネットワーク要素は、更新された第１のＰＣＣルールに基づいて、端末のセッションを修正するためにトリガされてもよい。したがって、端末の１つのセッションが複数のローカルエリアネットワークサービスに接続されている場合、端末の位置に基づいて、１または複数のローカルエリアネットワークにおける端末の通信を制限することができる。
【００１０】
可能な設計では、ポリシ制御ネットワーク要素がセッション管理ネットワーク要素から第１のイベントレポートを受信する前に、この方法は、ポリシ制御ネットワーク要素が、セッション管理ネットワーク要素に第１の加入要求メッセージを送信する段階であって、ここで、第１の加入要求メッセージは、第１のローカルエリアネットワークの指示情報を保持し、端末のものであり、第１のローカルエリアネットワークに関連するモビリティイベントに加入することを要求するために使用される段階をさらに含む。この解決手段に基づいて、ポリシ制御ネットワーク要素は、端末のものであり、第１のローカルエリアネットワークに関連するモビリティイベントに加入することができる。
【００１１】
可能な設計では、第１の加入要求メッセージは、第１のローカルエリアネットワークのサービスエリア情報をさらに保持する。
【００１２】
可能な設計では、ポリシ制御ネットワーク要素が、第１のイベントおよび指示情報に基づいて、端末に対応する第１のＰＣＣルールを更新する段階は、ポリシ制御ネットワーク要素が、指示情報に基づいて端末のアドレスを決定する段階と、ポリシ制御ネットワーク要素が、第１のイベントおよび端末のものであるアドレスに基づいて、端末に対応する第１のＰＣＣルールを更新する段階と、を含む。この解決手段に基づいて、ポリシ制御ネットワーク要素は、端末に対応する第１のＰＣＣルールを更新することができる。
【００１３】
可能な設計では、ポリシ制御ネットワーク要素が、第１のイベントおよび指示情報に基づいて、端末に対応する第１のＰＣＣルールを更新する段階は、ポリシ制御ネットワーク要素が、第１のローカルエリアネットワークの指示情報に基づいて、端末のものである仮想ローカルエリアネットワーク識別子を決定する段階と、ポリシ制御ネットワーク要素が、第１のイベントと、端末のものである仮想ローカルエリアネットワーク識別子とに基づいて、端末に対応する第１のＰＣＣルールを更新する段階と、を含む。この解決手段に基づいて、ポリシ制御ネットワーク要素は、端末に対応する第１のＰＣＣルールを更新することができる。
【００１４】
第２の態様によれば、ローカルエリアネットワーク通信方法が提供される。この方法は、セッション管理ネットワーク要素が、第１のイベントレポートをポリシ制御ネットワーク要素に送信する段階であって、ここで、第１のイベントレポートは、第１のイベントおよび第１のローカルエリアネットワークの指示情報を含み、第１のイベントは、端末が第１のローカルエリアネットワークのサービスエリアに移動したことまたはサービスエリアから移動したことを含む段階と、セッション管理ネットワーク要素が、ポリシ制御ネットワーク要素から、端末に対応する更新された第１のポリシおよび課金制御ＰＣＣルールを受信する段階と、セッション管理ネットワーク要素が、更新された第１のＰＣＣルールに基づいて、端末のセッションを修正する段階と、を含む。この解決手段に基づいて、セッション管理ネットワーク要素が、第１のイベントおよび第１のローカルエリアネットワークの指示情報を含む第１のイベントレポートをポリシ制御ネットワーク要素に送信した後、ポリシ制御ネットワーク要素が、第１のＰＣＣルールを更新した後に更新された第１のＰＣＣルールをセッション管理ネットワーク要素に送信し、セッション管理ネットワーク要素が、更新された第１のＰＣＣルールに基づいて、端末のセッションを修正してよい。したがって、端末の１つのセッションが複数のローカルエリアネットワークサービスに接続されている場合、端末の位置に基づいて、１または複数のローカルエリアネットワークにおける端末の通信を制限することができる。
【００１５】
可能な設計では、セッション管理ネットワーク要素が第１のイベントレポートをポリシ制御ネットワーク要素に送信する段階の前に、この方法は、セッション管理ネットワーク要素が、ポリシ制御ネットワーク要素から第１の加入要求メッセージを受信する段階であって、ここで、第１の加入要求メッセージは、第１のローカルエリアネットワークの指示情報を保持し、端末のものであり、第１のローカルエリアネットワークに関連するモビリティイベントに加入することを要求するために使用される段階をさらに含む。この解決手段に基づいて、ポリシ制御ネットワーク要素は、端末のものであり、第１のローカルエリアネットワークに関連するモビリティイベントを加入することができる。
【００１６】
可能な設計では、第１の加入要求メッセージは、第１のローカルエリアネットワークのサービスエリア情報をさらに保持する。
【００１７】
可能な設計において、セッション管理ネットワーク要素が、更新された第１のＰＣＣルールに基づいて端末のセッションを修正する段階は、更新された第１のＰＣＣルールが、端末が第１のローカルエリアネットワーク内でデータをルーティングすることを許可されていることを示している場合、セッション管理ネットワーク要素が、第１のルーティングルールを設定するようにユーザプレーン機能ネットワーク要素に指示する段階であって、ここで、第１のルーティングルールは、端末のアドレスまたは端末のものである仮想ローカルエリアネットワーク識別子を含む段階、を含む。この解決手段に基づいて、セッション管理ネットワーク要素は、端末の位置に基づいて、端末のセッションを修正することができる。
【００１８】
可能な設計では、この方法は、端末のセッションが非アクティブ化されている場合、セッション管理ネットワーク要素が、端末のセッションのユーザプレーン接続をアクティブ化する段階、をさらに含む。この解決手段に基づいて、セッション管理ネットワーク要素は、端末の位置に基づいて、端末のセッションを修正することができる。
【００１９】
可能な設計では、セッション管理ネットワーク要素が、更新された第１のＰＣＣルールに基づいて端末のセッションを修正する段階は、更新された第１のＰＣＣルールが、端末が第１のローカルエリアネットワークにおいてデータをルーティングすることを許可されていないことを示す場合、セッション管理ネットワーク要素が、第１のルーティングルールを削除するようにユーザプレーン機能ネットワーク要素に指示する段階であって、ここで、第１のルーティングルールは、端末のアドレスまたは端末のものである仮想ローカルエリアネットワーク識別子を含む段階、を含む。この解決手段に基づいて、セッション管理ネットワーク要素は、端末の位置に基づいて、端末のセッションを修正することができる。
【００２０】
可能な設計では、この方法は、端末のセッションが、第１のローカルエリアネットワークのみへのアクセスを許可されている場合、セッション管理ネットワーク要素が、端末のセッションのユーザプレーン接続を非アクティブ化するか、または端末のセッションを直接リリースする段階をさらに含む。この解決手段に基づいて、セッション管理ネットワーク要素は、端末の位置に基づいて、端末のセッションを修正することができる。
【００２１】
第３の態様によれば、ローカルエリアネットワーク通信方法が提供される。この方法は、セッション管理ネットワーク要素が、モビリティ管理ネットワーク要素から第１のイベントレポートを受信する段階であって、ここで、第１のイベントレポートは、第１のイベントおよび第１のローカルエリアネットワークの指示情報を含み、第１のイベントは、端末が第１のローカルエリアネットワークのサービスエリアに移動したことまたはサービスエリアから移動したことを含む段階と、セッション管理ネットワーク要素が、第１のイベントおよび第１のローカルエリアネットワークの指示情報に基づいて、端末のセッションを修正する段階と、を含む。この解決手段に基づいて、セッション管理ネットワーク要素が、第１のイベントおよび第１のローカルエリアネットワークの指示情報を含む第１のイベントレポートを受信してよく、第１のイベントおよび第１のローカルエリアネットワークの指示情報に基づいて、端末のセッションを修正してもよい。したがって、端末の１つのセッションが複数のローカルエリアネットワークサービスに接続されている場合、端末の位置に基づいて、１または複数のローカルエリアネットワークにおける端末の通信を制限することができる。
【００２２】
可能な設計では、セッション管理ネットワーク要素がモビリティ管理ネットワーク要素から第１のイベントレポートを受信する段階の前に、この方法は、セッション管理ネットワーク要素が、第１の加入要求メッセージをモビリティ管理ネットワーク要素に送信する段階であって、ここで、第１の加入要求メッセージは、第１のローカルエリアネットワークの指示情報を保持し、端末のものであり、第１のローカルエリアネットワークに関連するモビリティイベントに加入することを要求するために使用される段階をさらに含む。この解決手段に基づいて、セッション管理ネットワーク要素は、端末のものであり、第１のローカルエリアネットワークに関連するモビリティイベントに加入することができる。
【００２３】
可能な設計では、第１の加入要求メッセージは、第１のローカルエリアネットワークのサービスエリア情報をさらに保持する。
【００２４】
可能な設計において、セッション管理ネットワーク要素が、第１のイベントおよび第１のローカルエリアネットワークの指示情報に基づいて、端末のセッションを修正する段階は、セッション管理ネットワーク要素が、第１のイベントおよび第１のローカルエリアネットワークの指示情報に基づいて、端末が第１のローカルエリアネットワークにおいてデータをルーティングすることが許可されていると決定した場合、セッション管理ネットワーク要素が、第１のルーティングルールを設定するようにユーザプレーン機能ネットワーク要素に指示する段階であって、ここで、第１のルーティングルールは、端末のアドレスまたは端末のものである仮想ローカルエリアネットワーク識別子を含む段階、を含む。この解決手段に基づいて、セッション管理ネットワーク要素は、端末の位置に基づいて、端末のセッションを修正することができる。
【００２５】
可能な設計では、この方法は、端末のセッションが非アクティブ化されている場合、セッション管理ネットワーク要素が、端末のセッションのユーザプレーン接続をアクティブ化する段階をさらに含む。この解決手段に基づいて、セッション管理ネットワーク要素は、端末の位置に基づいて、端末のセッションを修正することができる。
【００２６】
可能な設計において、セッション管理ネットワーク要素が、第１のイベントおよび第１のローカルエリアネットワークの指示情報に基づいて、端末のセッションを修正する段階は、セッション管理ネットワーク要素が、第１のイベントおよび第１のローカルエリアネットワークの指示情報に基づいて、端末が第１のローカルエリアネットワークにおいてデータをルーティングすることが許可されていないと決定した場合、セッション管理ネットワーク要素が、第１のルーティングルールを削除するようにユーザプレーン機能ネットワーク要素に指示する段階であって、ここで、第１のルーティングルールは、端末のアドレスまたは端末のものである仮想ローカルエリアネットワーク識別子を含む段階、を含む。この解決手段に基づいて、セッション管理ネットワーク要素は、端末の位置に基づいて、端末のセッションを修正することができる。
【００２７】
可能な設計では、この方法は、端末のセッションが、第１のローカルエリアネットワークのみへのアクセスを許可されている場合、セッション管理ネットワーク要素が、端末のセッションのユーザプレーン接続を非アクティブ化するか、または端末のセッションを直接リリースする段階、をさらに含む。この解決手段に基づいて、セッション管理ネットワーク要素は、端末の位置に基づいて、端末のセッションを修正することができる。
【００２８】
第４の態様によれば、ポリシ制御ネットワーク要素が提供され、ポリシ制御ネットワーク要素は、第１の態様における方法を実装する機能を有する。この機能は、ハードウェアで実装されてもよいし、または対応するソフトウェアを実行することでハードウェアで実装されてもよい。ハードウェアまたはソフトウェアは、前述の機能に対応する１または複数のモジュールを含んでいる。
【００２９】
第５の態様によると、ポリシ制御ネットワーク要素が提供され、プロセッサとメモリを含む。メモリは、コンピュータ実行可能命令を記憶するように構成されている。ポリシ制御ネットワーク要素が実行されるとき、プロセッサは、メモリに記憶されたコンピュータ実行可能命令を実行するので、ポリシ制御ネットワーク要素は、第１の態様の任意の実装によるローカルエリアネットワーク通信方法を実行する。
【００３０】
第６の態様によると、ポリシ制御ネットワーク要素が提供され、プロセッサを含む。プロセッサは、メモリに結合され、メモリ内の命令を読み取った後、命令に従って、第１の態様の任意の実装に従ったローカルエリアネットワーク通信方法を実行するように構成されている。
【００３１】
第７の態様によれば、コンピュータ可読記憶媒体が提供される。コンピュータ可読記憶媒体には、命令が記憶されており、その命令がコンピュータ上で実行されるとき、そのコンピュータは、第１の態様の任意の実装によるローカルエリアネットワーク通信方法を実行することが可能となる。
【００３２】
第８の態様によると、命令を含むコンピュータプログラム製品が提供され、コンピュータプログラム製品がコンピュータ上で実行されるとき、コンピュータは、第１の態様の任意の実装によるローカルエリアネットワーク通信方法を実行することが可能になる。
【００３３】
第９の態様によれば、装置（例えば、装置はチップシステムであってよい）が提供され、装置は、第１の態様に含まれる実装機能、例えば、第１のイベントおよび指示情報に基づいて、端末に対応する第１のポリシおよび課金制御ＰＣＣルールを更新することを実行する際に、ポリシ制御ネットワーク要素を支援するように構成された、プロセッサを含む。可能な設計では、装置は、メモリをさらに含み、メモリは、プログラム命令およびポリシ制御ネットワーク要素に必要なデータを記憶するように構成される。装置がチップシステムの場合、装置はチップを含んでいてもよく、またはチップと別の個別装置を含んでいてもよい。
【００３４】
第４の態様から第９の態様までの任意の設計方式によってもたらされる技術的効果については、第１の態様の異なる設計方式によってもたらされる技術的効果を参照されたい。詳細は本明細書では説明しない。
【００３５】
第１０の態様によれば、セッション管理ネットワーク要素が提供され、セッション管理ネットワーク要素は、第２の態様または第３の態様における方法を実行する機能を有している。この機能は、ハードウェアによって実装されてよく、または、対応するソフトウェアを実行することによりハードウェアによって実装されてよい。ハードウェアまたはソフトウェアは、前述の機能に対応する１または複数のモジュールを含む。
【００３６】
第１１の態様によると、セッション管理ネットワーク要素が提供され、プロセッサとメモリを含む。メモリは、コンピュータ実行可能命令を記憶するように構成されている。セッション管理ネットワーク要素が実行されるとき、プロセッサは、メモリに記憶されたコンピュータ実行可能命令を実行するので、セッション管理ネットワーク要素は、第２の態様または第３の態様の任意の実装に従って、ローカルエリアネットワーク通信方法を実行する。
【００３７】
第１２の態様によると、セッション管理ネットワーク要素が提供され、プロセッサを含む。プロセッサは、メモリに結合され、メモリ内の命令を読み取った後、命令に従って、第２の態様または第３の態様のいずれかの実装に従ったローカルエリアネットワーク通信方法を実行するように構成されている。
【００３８】
第１３の態様によれば、コンピュータ可読記憶媒体が提供される。コンピュータ可読記憶媒体には命令が記憶されており、命令がコンピュータ上で実行されるとき、コンピュータは、第２の態様または第３の態様の任意の実装によるサービス品質検出方法を実行することが可能になる。
【００３９】
第１４の態様によれば、命令を含むコンピュータプログラム製品が提供され、コンピュータプログラム製品がコンピュータ上で実行されるとき、コンピュータは、第２の態様または第３の態様の任意の実装によるローカルエリアネットワーク通信方法を実行することが可能になる。
【００４０】
第１５の態様によれば、装置（例えば、装置はチップシステムであってよい）が提供され、装置は、セッション管理ネットワーク要素が第２の態様または第３の態様に含まれる実装機能、例えば、第１のイベントおよび指示情報に基づいて、端末に対応する第１のポリシおよび課金制御ＰＣＣルールを更新することを支援するように構成された、プロセッサを含む。可能な設計では、装置は、メモリをさらに含み、メモリは、プログラム命令およびセッション管理ネットワーク要素に必要なデータを記憶するように構成される。装置がチップシステムの場合、装置はチップを含んでいてもよいし、またはチップと別の個別装置を含んでいてもよい。
【００４１】
第１０の態様から第１５の態様のいずれかの設計方式によってもたらされる技術的効果については、第２の態様または第３の態様の異なる設計方式によってもたらされる技術的効果を参照されたい。詳細は本明細書では説明しない。
【００４２】
第１６の態様によると、通信システムが提供され、通信システムは、セッション管理ネットワーク要素を含む。セッション管理ネットワーク要素は、第２の態様または第３の態様、または本願の実施形態で提供される解決手段において、セッション管理ネットワーク要素が実行する段階を実行するように構成されている。
【００４３】
可能な設計では、通信システムは、ポリシ制御ネットワーク要素をさらに含む。ポリシ制御ネットワーク要素は、第１の態様または本願の実施形態で提供される解決手段でポリシ制御ネットワーク要素が実行する段階を実行するように構成される。
【００４４】
可能な設計では、通信システムは、モビリティ管理ネットワーク要素またはユーザプレーン機能ネットワーク要素など、本願の実施形態で提供される解決手段においてポリシ制御ネットワーク要素またはセッション管理ネットワーク要素と相互作用する別の装置をさらに含むことができる。これは、本願の本実施形態では特に限定されない。
【００４５】
本願のこれらまたは他の態様は、以下の実施形態の説明において、より簡潔で理解しやすい。
【図面の簡単な説明】
【００４６】
【図１】本願の実施形態による通信システムの概略構造図１である。
【００４７】
【図２】本願の実施形態による通信システムの概略構造図２である。
【００４８】
【図３】本願の実施形態による５Ｇネットワークにおける通信システムの適用例を示す概略図である。
【００４９】
【図４】既存の５ＧＬＡＮサービスのユーザプレーンのアーキテクチャを示す概略図である。
【００５０】
【図５】本願の実施形態による通信装置の概略構造図である。
【００５１】
【図６】本願の実施形態によるローカルエリアネットワーク通信方法の概略フローチャート１である。
【００５２】
【図７】本願の実施形態によるローカルエリアネットワーク通信方法の概略フローチャート２である。
【００５３】
【図８】本願の実施形態によるローカルエリアネットワーク通信方法の概略フローチャート３である。
【００５４】
【図９】本願の実施形態によるポリシ制御ネットワーク要素の概略構造図である。
【００５５】
【図１０】本願の実施形態によるセッション管理ネットワーク要素の概略構造図である。
【発明を実施するための形態】
【００５６】
以下では、本願の実施形態における技術的解決手段を、本願の実施形態における添付図面を参照して説明する。本願明細書では、特に断らない限り、「／」は関連する対象の「または」の関係を示し、例えば、Ａ／ＢはＡまたはＢを表してよい。本願では、「および／または」は、関連する対象を説明するための関連関係のみを説明し、３つの関係が存在する可能性があることを表す。例えば、Ａおよび／またはＢは、以下の３つのケースを表すことができる。Ａのみが存在する場合、ＡとＢの両方が存在する場合、Ｂのみが存在する場合、ＡとＢは単数または複数でよい。また、本願の明細書において、「複数の」とは、２または２より多いことを意味する。「以下の項目の少なくとも１つ」または同様の表現は、これらの項目の任意の組み合わせを意味し、単一の項目または複数の項目の任意の組み合わせを含む。例えば、ａ、ｂ、またはｃのうち少なくとも１つは、ａ、ｂ、ｃ、ａ−ｂ、ａ−ｃ、ｂ−ｃ、またはａ−ｂ−ｃを表してもよく、ａ、ｂ、およびｃは単一であってもよく、または複数であってよい。また、本願の実施形態における技術的解決手段を明確に説明するために、本願の実施形態では「第１」「第２」などの用語を用いて、同じ項目または基本的に同じ機能や目的を持つ類似項目を区別している。当業者であれば、「第１」「第２」などの言葉は数量や実行順序を限定するものではなく、「第１」「第２」などの言葉は絶対的な違いを限定しないと理解できる。
【００５７】
また、本願の実施形態で説明したネットワークアーキテクチャやサービスシナリオは、本願の実施形態における技術的解決手段をより明確に説明することを意図しており、本願の実施形態で提供される技術的解決手段を制限するものではない。当業者であれば、ネットワークアーキテクチャの進化や新しいサービスシナリオの出現に伴い、本願の実施形態で提供される技術的解決手段は、同様の技術的問題にも適用可能であることを知っているだろう。
【００５８】
図１は、本願の実施形態で提供される通信システム１０を示す。通信システム１０は、ポリシ制御ネットワーク要素１０１と、セッション管理ネットワーク要素１０２とを含む。
【００５９】
セッション管理ネットワーク要素１０２は、第１のイベントレポート（ｅｖｅｎｔ  ｒｅｐｏｒｔ）をポリシ制御ネットワーク要素１０１に送信するように構成されている。第１のイベントレポートは、第１のイベントと第１のローカルエリアネットワークの指示情報を含み、第１のイベントは、端末が第１のローカルエリアネットワークのサービスエリアに移動したことまたはサービスエリアから移動したことを含む。
【００６０】
ポリシ制御ネットワーク要素１０１は、セッション管理ネットワーク要素１０２から第１のイベントレポートを受信し、第１のイベントレポートに含まれる第１のイベントおよび第１のローカルエリアネットワークの指示情報に基づいて、端末に対応する第１のポリシおよび課金制御（ｐｏｌｉｃｙ  ａｎｄ  ｃｈａｒｇｉｎｇ  ｃｏｎｔｒｏｌ，  ＰＣＣ）ルールを更新した後、更新された第１のＰＣＣルールをセッション管理ネットワーク要素１０２に送信するように構成される。
【００６１】
セッション管理ネットワーク要素１０２は、更新された第１のＰＣＣルールをポリシ制御ネットワーク要素１０１から受信し、更新された第１のＰＣＣルールに基づいて端末のセッションを修正するように構成される。
【００６２】
オプションで、本願の本実施形態における第１のイベントレポートは、代替的に第１のモビリティイベントレポート（ｍｏｂｉｌｉｔｙ  ｅｖｅｎｔ  ｒｅｐｏｒｔ）または別の名称に置き換えてもよい。これは、本願の本実施形態では特に限定されない。
【００６３】
オプションで、本願の本実施形態では、第１のローカルエリアネットワークの指示情報は、例えば、第１のローカルエリアネットワークの識別子、または第１のローカルエリアネットワークに対応する第１のプレゼンス報告領域（ｐｒｅｓｅｎｃｅ  ｒｅｐｏｒｔｉｎｇ  ａｒｅａ、ＰＲＡ）の識別子（ｉｄｅｎｔｉｆｙ、ＩＤ）であってよい。これは、本願の本実施形態では特に限定されない。
【００６４】
オプションで、本願の本実施形態では、セッション管理ネットワーク要素１０２が更新された第１のＰＣＣルールに基づいて端末のセッションを修正する関連実装については、以降の方法の実施形態を参照されたい。詳細は本明細書では説明しない。
【００６５】
オプションで、本願の本実施形態では、ポリシ制御ネットワーク要素１０１は、セッション管理ネットワーク要素１０２と直接または別の装置の転送を介して通信してもよい。これは、本願の本実施形態では特に限定されない。
【００６６】
本願の本実施形態で提供される通信システムに基づいて、ポリシ制御ネットワーク要素は、第１のイベントと第１のローカルエリアネットワークの指示情報とを含む第１のイベントレポートを受信した後に、端末に対応する第１のＰＣＣルールを更新することができるため、セッション管理ネットワーク要素は、更新された第１のＰＣＣルールに基づいて、端末のセッションを修正するようにトリガされてもよい。したがって、端末の１つのセッションが複数のローカルエリアネットワークサービスに接続されている場合、端末の位置に基づいて、１または複数のローカルエリアネットワークにおける端末の通信を制限することができる。
【００６７】
あるいは、オプションで、図２は、本願の実施形態で提供される別の通信システム２０を示している。通信システム２０は、セッション管理ネットワーク要素２０１と、モビリティ管理ネットワーク要素２０２とを含む。
【００６８】
モビリティ管理ネットワーク要素２０２は、セッション管理ネットワーク要素２０１に第１のイベントレポートを送信するように構成されている。第１のイベントレポートは、第１のイベントと第１のローカルエリアネットワークの指示情報を含み、第１のイベントは、端末が第１のローカルエリアネットワークのサービスエリアに移動したことまたはサービスエリアから移動したことを含む。
【００６９】
セッション管理ネットワーク要素２０１は、モビリティ管理ネットワーク要素２０２から第１のイベントレポートを受信し、第１のイベントレポートにある第１のイベントおよび第１のローカルエリアネットワークの指示情報に基づいて、端末のセッションを修正するように構成されている。
【００７０】
第１のローカルエリアネットワークの指示情報の関連する説明については、前述の実施形態を参照されたい。詳細は本明細書では説明しない。
【００７１】
オプションで、本願の本実施形態において、セッション管理ネットワーク要素１０２が、第１のイベントレポートにある第１のイベントと第１のローカルエリアネットワークの指示情報に基づいて端末のセッションを修正する関連する実装については、以降の方法の実施形態を参照されたい。詳細は本明細書では説明しない。
【００７２】
オプションで、本願の本実施形態では、セッション管理ネットワーク要素２０１は、モビリティ管理ネットワーク要素２０２と直接または別の装置の転送を介して通信してもよい。これは、本願の本実施形態では特に限定されない。
【００７３】
本願の本実施形態で提供される通信システムに基づき、第１のイベントと第１のローカルエリアネットワークの指示情報を含む第１のイベントレポートを受信した後、セッション管理ネットワーク要素は、第１のローカルエリアネットワークの指示情報と第１のイベントに基づいて、端末のセッションを修正してもよい。したがって、端末の１つのセッションが複数のローカルエリアネットワークサービスに接続されている場合、端末の位置に基づいて、１または複数のローカルエリアネットワークにおける端末の通信を制限することができる。
【００７４】
オプションで、図１または図２に示す通信システムは、現在の５Ｇネットワークまたは別の将来のネットワークに適用されてもよい。これは、本願の本実施形態では特に限定されない。
【００７５】
例えば、図３に示すように、図１または図２に示す通信システムを現在の５Ｇネットワークに適用した場合、図１のポリシ制御ネットワーク要素１０１に対応するネットワーク要素またはエンティティは、５Ｇネットワークアーキテクチャにおけるポリシ制御機能（Ｐｏｌｉｃｙ  Ｃｏｎｔｒｏｌ  Ｆｕｎｃｔｉｏｎ、ＰＣＦ）ネットワーク要素であってもよく、図１のセッション管理ネットワーク要素１０２または図２のセッション管理ネットワーク要素２０１に対応するネットワーク要素またはエンティティは、５Ｇネットワークアーキテクチャにおけるセッション管理機能（Ｓｅｓｓｉｏｎ  Ｍａｎａｇｅｍｅｎｔ  Ｆｕｎｃｔｉｏｎ、ＳＭＦ）ネットワーク要素であってもよく、図２のモビリティ管理ネットワーク要素２０２に対応するネットワーク要素またはエンティティは、５Ｇネットワークアーキテクチャにおけるアクセスおよびモビリティ管理機能（Ｃｏｒｅ  Ａｃｃｅｓｓ  ａｎｄ  Ｍｏｂｉｌｉｔｙ  Ｍａｎａｇｅｍｅｎｔ  Ｆｕｎｃｔｉｏｎ、ＡＭＦ）ネットワーク要素であってよい。
【００７６】
また、図１または図２に示した通信システムを現在の５Ｇネットワークに適用してもよい場合、第１のローカルエリアネットワークは５ＧＬＡＮであってよい。オプションで、表現方式の観点から、本願の本実施形態では、５ＧＬＡＮは、ＬＡＮ、ＬＡＮタイプサービス（タイプサービス）、ＬＡＮ−仮想ネットワーク（仮想ネットワーク、ＶＮ）、５ＧＬＡＮタイプサービス、５ＧＬＡＮ−ＶＮ、５ＧＬＡＮグループ（グループ）、またはＬＡＮグループとも称されてよい。本願の本実施形態における５ＧＬＡＮの名称は、特に限定されない。
【００７７】
さらに、図３に示すように、現在の５Ｇネットワークは、アクセス装置、ユーザプレーン機能（ｕｓｅｒ  ｐｌａｎｅ  ｆｕｎｃｔｉｏｎ、ＵＰＦ）ネットワーク要素、認証サーバ機能（ａｕｔｈｅｎｔｉｃａｔｉｏｎ  ｓｅｒｖｅｒ  ｆｕｎｃｔｉｏｎ、ＡＵＳＦ）ネットワーク要素、ネットワークスライス選択機能（ｎｅｔｗｏｒｋ  ｓｌｉｃｅ  ｓｅｌｅｃｔｉｏｎ  ｆｕｎｃｔｉｏｎ、ＮＳＳＦ）ネットワーク要素、ネットワークエクスポージャー機能（ｎｅｔｗｏｒｋ  ｅｘｐｏｓｕｒｅ  ｆｕｎｃｔｉｏｎ、ＮＥＦ）ネットワーク要素、ネットワーク機能リポジトリ機能（ｎｅｔｗｏｒｋ  ｅｘｐｏｓｕｒｅ  ｆｕｎｃｔｉｏｎ  Ｒｅｐｏｓｉｔｏｒｙ  Ｆｕｎｃｔｉｏｎ，  ＮＲＦ）ネットワーク要素、合データ管理（Ｕｎｉｆｉｅｄ  Ｄａｔａ  Ｍａｎａｇｅｍｅｎｔ，  ＵＤＭ）ネットワーク要素、アプリケーション機能（ａｐｐｌｉｃａｔｉｏｎ  ｆｕｎｃｔｉｏｎ，  ＡＦ）ネットワーク要素、ＬＡＮコントローラ（ｃｏｎｔｒｏｌｌｅｒ）などをさらに含んでいてもよい。これは、本願の本実施形態では特に限定されない。
【００７８】
ＬＡＮコントローラは、本願の本実施形態において５Ｇネットワークに新たに追加されたネットワーク要素であり、５ＧＬＡＮの構成情報の作成、修正、削除などを含む５ＧＬＡＮの管理を担うほか、５ＧＬＡＮにアクセスする端末の認証・認可の実行、５ＧＬＡＮのユーザプレーンパスの管理などを担ってもよい。具体的な機能については、以降の方法の実施形態を参照されたい。詳細は本明細書では説明しない。
【００７９】
オプションで、表現方式の観点から、ＬＡＮコントローラは、グループ管理機能（ｇｒｏｕｐ  ｍａｎａｇｅｍｅｎｔ  ｆｕｎｃｔｉｏｎ，  ＧＭＦ）ネットワーク要素、ＬＡＮ管理機能（ｍａｎａｇｅｍｅｎｔ  ｆｕｎｃｔｉｏｎ）ネットワーク要素、ＬＡＮサービス管理機能（ＬＡＮ  ｓｅｒｖｉｃｅ  ｍａｎａｇｅｍｅｎｔ  ｆｕｎｃｔｉｏｎ，  ＬＳＭＦ）ネットワーク要素、５ＧＬＡＮグループ管理機能（５ＧＬＡＮ  ｇｒｏｕｐ  ｍａｎａｇｅｍｅｎｔ  ｆｕｎｃｔｉｏｎ，  ５ＧＭＦ）ネットワーク要素、５ＧＬＡＮ管理機能（ｍａｎａｇｅｍｅｎｔ  ｆｕｎｃｔｉｏｎ）ネットワーク要素、ＬＡＮサービス管理機能（５ＧＬＡＮ  Ｓｅｒｖｉｃｅ  Ｍａｎａｇｅｍｅｎｔ  Ｆｕｎｃｔｉｏｎ，  ５ＳＭＦ）ネットワーク要素、５ＧＬＡＮ仮想ネットワーク管理機能（５ＧＬＡＮ−ＶＮ  ｍａｎａｇｅｍｅｎｔ  ｆｕｎｃｔｉｏｎ，  ５ＬＶＭＦ）ネットワーク要素、５ＧＬＡＮサービス管理機能（５ＧＬＡＮ−ｔｙｐｅ  ｓｅｒｖｉｃｅ  ｍａｎａｇｅｍｅｎｔ  ｆｕｎｃｔｉｏｎ，  ５ＬＳＭＦ）ネットワーク要素、または、ＬＡＮ仮想ネットワーク管理機能（ＬＡＮ−ＶＮ  ｍａｎａｇｅｍｅｎｔ  ｆｕｎｃｔｉｏｎ，  ＬＶＮＭＦ）ネットワーク要素、などの別の名称を有していてもよい。これは、本願の本実施形態では特に限定されない。
【００８０】
図３に示すように、端末はアクセス装置を介して５Ｇネットワークにアクセスし、端末は次世代ネットワーク（ｎｅｘｔ  ｇｅｎｅｒａｔｉｏｎ，  Ｎ）１インタフェース（略してＮ１）を介してＡＭＦネットワーク要素と通信し、アクセス装置はＮ２インタフェース（略してＮ２）を介してＡＭＦネットワーク要素と通信し、アクセス装置はＮ３インタフェース（略してＮ３）を介してＵＰＦネットワーク要素と通信し、ＳＭＦネットワーク要素は、Ｎ４インタフェース（略してＮ４）を介してＵＰＦネットワーク要素と通信し、ＵＰＦネットワーク要素は、Ｎ６インタフェース（略してＮ６）を介してデータネットワークにアクセスする。また、図２に示したＡＵＳＦネットワーク要素、ＡＭＦネットワーク要素、ＳＭＦネットワーク要素、ＮＳＳＦネットワーク要素、ＮＥＦネットワーク要素、ＮＲＦネットワーク要素、ＰＣＦネットワーク要素、ＵＤＭネットワーク要素、またはＡＦネットワーク要素などの制御プレーンネットワーク要素は、サービス指向のインタフェースを介して相互作用を実行することができる。例えば、ＡＵＳＦネットワーク要素が提供するサービス指向のインタフェースはＮａｕｓｆであってよく、ＡＭＦネットワーク要素が提供するサービス指向のインタフェースはＮａｍｆであってよく、ＳＭＦネットワーク要素が提供するサービス指向のインタフェースはＮｓｍｆであってよく、ＮＳＳＧネットワーク要素が提供するサービス指向のインタフェースはＮｎｓｓｆであってよく、ＮＥＦネットワーク要素が提供するサービス指向のインタフェースはＮｎｅｆであってよく、ＮＲＦネットワーク要素が提供するサービス指向のインタフェースはＮｎｒｆであってよく、ＰＣＦネットワーク要素が提供するサービス指向のインタフェースはＮｐｃｆであってよく、ＵＤＭネットワーク機能が提供するサービス指向のインタフェースはＮｕｄｍであってよく、ＡＦネットワーク要素が提供するサービス指向のインタフェースはＮａｆであってよい。関連する説明については、２３５０１規格の５Ｇシステムアーキテクチャ（５Ｇ  ｓｙｓｔｅｍ  ａｒｃｈｉｔｅｃｔｕｒｅ）の図を参照されたい。詳細は本明細書では説明しない。また、ＬＡＮコントローラが提供するサービス指向のインタフェースがＮｌａｎであってよい。
【００８１】
図４は、既存の５ＧＬＡＮサービスのユーザプレーンのアーキテクチャを示す概略図である。端末は、５ＧＬＡＮサービスを提供するＵＰＦネットワーク要素にアクセスするために、５ＧＬＡＮサービスを提供するＵＰＦネットワーク要素へのセッションを設定する。以上のように、５ＧＬＡＮサービスを提供するＵＰＦネットワーク要素は、Ｎ６を介してデータネットワークの既存のＬＡＮと相互に連携し、例えば、ＬＡＮ内のパーソナルコンピュータ（Ｐｅｒｓｏｎａｌ  Ｃｏｍｐｕｔｅｒ，  ＰＣ）と通信することができる。あるいは、５ＧＬＡＮサービスを提供するＵＰＦネットワーク要素は、ＵＰＦネットワーク要素間の内部接続を使用して、異なる端末のセッションに関連付けられ、プライベート通信を実装することもできる。これは、本願の本実施形態では特に限定されない。
【００８２】
オプションで、本願の実施形態に含まれる端末（ｔｅｒｍｉｎａｌ）は、無線通信機能を備えた様々なハンドヘルド装置、車載装置、ウェアラブル装置、コンピューティング装置、または無線モデムに接続された他の処理装置を含んでもよく、さらに、加入者ユニット（Ｓｕｂｓｃｒｉｂｅｒ  Ｕｎｉｔ）、携帯電話（Ｃｅｌｌｕｌａｒ  Ｐｈｏｎｅ）、スマートフォン（Ｓｍａｒｔ  Ｐｈｏｎｅ）、無線データカード、パーソナルデジタルアシスタント（Ｐｅｒｓｏｎａｌ  Ｄｉｇｉｔａｌ  Ａｓｓｉｓｔａｎｔ，  ＰＤＡ）コンピュータ、タブレットコンピュータ、無線モデム（ｍｏｄｅｍ）、ハンドヘルド装置（ｈａｎｄｈｅｌｄ）、ラップトップコンピュータ（ｌａｐｔｏｐ  ｃｏｍｐｕｔｅｒ）、コードレス電話（ｃｏｒｄｌｅｓｓ  ｐｈｏｎｅ）または無線ローカルループ（ｗｉｒｅｌｅｓｓ  ｌｏｃａｌ  ｌｏｏｐ，  ＷＬＬ）局、機械型通信（ｍａｃｈｉｎｅ  ｔｙｐｅ  ｃｏｍｍｕｎｉｃａｔｉｏｎ，  ＭＴＣ）端末、ユーザ機器（ｕｓｅｒ  ｅｑｕｉｐｍｅｎｔ，  ＵＥ）、移動局（ｍｏｂｉｌｅ  ｓｔａｔｉｏｎ，  ＭＳ）、端末装置（ｔｅｒｍｉｎａｌ  ｄｅｖｉｃｅ）、または中継ユーザ機器を含むことができる。中継ユーザ機器は、例えば、５Ｇレジデンシャルゲートウェイ（ｒｅｓｉｄｅｎｔｉａｌ  ｇａｔｅｗａｙ、ＲＧ）であってよい。説明を簡単にするために、本願では上記の装置を総称して端末と呼ぶ。
【００８３】
オプションで、本願の実施形態に含まれるアクセス装置（前述の第１のアクセス装置または第２のアクセス装置を含む）は、コアネットワークにアクセスする装置であり、例えば、基地局、ブロードバンドネットワークゲートウェイ（Ｂｒｏａｄｂａｎｄ  Ｎｅｔｗｏｒｋ  Ｇａｔｅｗａｙ、ＢＮＧ）、アグリゲーションスイッチ、または非第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）のアクセス装置であってよい。基地局は、例えば、マクロ基地局、マイクロ基地局（スモールセルとも称される）、中継局、アクセスポイントなど、様々な形態の基地局を含むことができる。
【００８４】
オプションで、本願の実施形態では、図１のポリシ制御ネットワーク要素またはセッション管理ネットワーク要素、または図２のセッション管理ネットワーク要素またはモビリティ管理ネットワーク要素は、１つの装置によって実装されてもよいし、または複数の装置が一緒に実装されてもよいし、または装置内の機能モジュールであってよい。これは、本願の本実施形態では特に限定されない。前述の機能は、ハードウェア装置内のネットワーク要素、専用ハードウェア上で実行するソフトウェア機能、またはプラットフォーム（例えば、クラウドプラットフォーム）上にインスタンス化された仮想化機能であってよいことを理解されたい。
【００８５】
例えば、本願の実施形態では、ポリシ制御ネットワーク要素、または図１のセッション管理ネットワーク要素、または図２のセッション管理ネットワーク要素またはモビリティ管理ネットワーク要素を、図５の通信装置５００で実装してもよい。図５は、本願の実施形態による通信装置のハードウェア構造を示す概略図である。通信装置５００は、プロセッサ５０１と、通信回線５０２と、メモリ５０３と、少なくとも１つの通信インタフェース（図５は、通信インタフェース５０４が含まれる例を使用してのみ説明する）とを含む。
【００８６】
プロセッサ５０１は、本願の解決手段の制御プログラム実行を管理するように構成された、汎用の中央演算処理装置（ｃｅｎｔｒａｌ  ｐｒｏｃｅｓｓｉｎｇ  ｕｎｉｔ、ＣＰＵ）、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、または１または複数の集積回路でもよい。
【００８７】
通信回線５０２は、前述の構成要素間で情報を伝送するためのチャネルを含んでいてもよい。
【００８８】
通信インタフェース５０４は、トランシーバなどの任意の装置を使用して、別の装置、または、イーサネット（登録商標）、無線アクセスネットワーク（Ｒａｄｉｏ  Ａｃｃｅｓｓ  Ｎｅｔｗｏｒｋ、ＲＡＮ）、または無線ローカルエリアネットワーク（Ｗｉｒｅｌｅｓｓ  Ｌｏｃａｌ  Ａｒｅａ  Ｎｅｔｗｏｒｋ、ＷＬＡＮ）などの通信ネットワークと通信するように構成されている。
【００８９】
メモリ５０３は、リードオンリメモリ（Ｒｅａｄ−Ｏｎｌｙ  Ｍｅｍｏｒｙ、ＲＯＭ）または静的な情報と命令を記憶することができる他のタイプの静的記憶装置、ランダムアクセスメモリ（Ｒａｎｄｏｍ  Ａｃｃｅｓｓ  Ｍｅｍｏｒｙ、ＲＡＭ）または情報と命令を記憶することができる他のタイプの動的記憶装置であってよく、または電気的消去可能なプログラマブルリードオンリメモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスクリードオンリメモリ（Ｃｏｍｐａｃｔ  Ｄｉｓｃ  Ｒｅａｄ−Ｏｎｌｙ  Ｍｅｍｏｒｙ，ＣＤ−ＲＯＭ）、またはその他の光ディスク記憶装置、光ディスク記憶装置（圧縮光ディスク、レーザーディスク（登録商標）、光ディスク、デジタルバーサタイルディスク、ブルーレイディスクなどを含む）、磁気ディスク記憶媒体、またはその他の磁気記憶装置、または命令またはデータ構造の形態で期待されるプログラムコードを保持または記憶するように構成され、コンピュータがアクセスできる任意の他の媒体であってもよいが、これに限定されない。メモリは、独立に存在し得て、通信回線５０２を使用することによってプロセッサに接続される。メモリは、代替的に、プロセッサと統合され得る。
【００９０】
メモリ５０３は、本願の解決手段を実行するためのコンピュータ実行可能命令を記憶するように構成されており、その実行はプロセッサ５０１によって制御される。プロセッサ５０１は、メモリ５０３に記憶されたコンピュータ実行可能命令を実行して、本願の以下の実施形態で提供されるローカルエリアネットワーク通信方法を実装するように構成されている。
【００９１】
オプションで、本願の本実施形態におけるコンピュータ実行可能命令は、アプリケーションプログラムコードとも称されてよく、本願の本実施形態では特にこれを限定されない。
【００９２】
実施形態の具体的な実装では、プロセッサ５０１は、例えば、図５のＣＰＵ０とＣＰＵ１のように、１または複数のＣＰＵを含んでいてもよい。
【００９３】
実施形態の具体的な実装では、通信装置５００は、例えば、図５のプロセッサ５０１とプロセッサ５０７のように、複数のプロセッサを含んでいてもよい。これらのプロセッサは、それぞれシングルコア（シングルＣＰＵ）のプロセッサであってもよく、またはマルチコア（マルチＣＰＵ）のプロセッサであってもよい。本明細書のプロセッサは、データ（例えば、コンピュータプログラム命令）を処理するために使用される１または複数の装置、回路、および／または処理コアであってもよい。
【００９４】
実施形態の具体的な実装では、通信装置５００は、出力装置５０５および入力装置５０６をさらに含んでもよい。出力装置５０５は、プロセッサ５０１と通信し、複数の態様で情報を表示してもよい。例えば、出力装置５０５は、液晶ディスプレイ（Ｌｉｑｕｉｄ  Ｃｒｙｓｔａｌ  Ｄｉｓｐｌａｙ、ＬＣＤ）、発光ダイオード（Ｌｉｇｈｔ  Ｅｍｉｔｔｉｎｇ  Ｄｉｏｄｅ、ＬＥＤ）の表示装置、陰極線管（Ｃａｔｈｏｄｅ  Ｒａｙ  Ｔｕｂｅ、ＣＲＴ）の表示装置、またはプロジェクタ（Ｐｒｏｊｅｃｔｏｒ）であってもよい。入力装置５０６は、プロセッサ５０１と通信し、複数の方式でユーザの入力を受信することができる。例えば、入力装置５０６は、マウス、キーボード、タッチスクリーン装置、またはセンシング装置であってもよい。
【００９５】
通信装置５００は、一般的な装置であってもよく、または専用の装置であってよい。具体的な実装では、通信装置５００は、デスクトップコンピュータ、ポータブルコンピュータ、ネットワークサーバ、パームトップコンピュータ（Ｐｅｒｓｏｎａｌ  Ｄｉｇｉｔａｌ  Ａｓｓｉｓｔａｎｔ、ＰＤＡ）、携帯電話、タブレットコンピュータ、無線端末装置、組み込み装置、または、図５と同様の構造を有する装置であってよい。本願の本実施形態では、通信装置５００のタイプは限定されない。
【００９６】
以下、本願の実施形態で提供されるローカルエリアネットワーク通信方法について、図１から図５を参照して具体的に説明する。
【００９７】
なお、以下の本願の実施形態において、ネットワーク要素間のメッセージの名称、またはメッセージ内の各パラメータの名称などは単なる例示であり、具体的な実装の際には別の名称であってもよいことに留意されたい。これは、本願の本実施形態では特に限定されない。
【００９８】
第１に、例えば、図１に示した通信システムを図３に示した５Ｇネットワークに適用する。図６は、本願の実施形態によるローカルエリアネットワーク通信方法を示したものである。ローカルエリアネットワーク通信方法は、以下の段階Ｓ６０１およびＳ６０２をオプションで含む。
【００９９】
Ｓ６０１：ＬＡＮコントローラは、ＰＣＦネットワーク要素に第１の構成（ｃｏｎｆｉｇｕｒｅ）情報を送信する。
【０１００】
これにより、ＰＣＦネットワーク要素は、ＬＡＮコントローラから第１の構成情報を受信する。
【０１０１】
オプションで、本願の本実施形態では、第１の構成情報は、５ＧＬＡＮ  ＩＤおよび５ＧＬＡＮ  ＩＤに対応するサービスエリア情報を含んでもよく、または、第１の構成情報は、ＰＲＡ  ＩＤおよびＰＲＡ  ＩＤに対応するサービスエリア情報を含んでもよい。これは、本願の本実施形態では特に限定されない。
【０１０２】
オプションで、本願の本実施形態では、サービスエリア情報は、５ＧＬＡＮの特定のサービスエリアを識別するために使用される。サービスエリア情報は、例えば、地理的な位置情報、トラッキングエリア（Ｔｒａｃｋｉｎｇ  Ａｒｅａ、ＴＡ）情報、またはセル（Ｃｅｌｌ）情報であってよい。これは、本願の本実施形態では特に限定されない。オプションで、本願の本実施形態におけるＴＡ情報は、例えば、ＴＡ識別子であってもよく、または、セル情報は、例えば、セル識別子であってよい。これは、本願の本実施形態では特に限定されない。
【０１０３】
オプションで、本願の本実施形態では、第１の構成情報が５ＧＬＡＮ  ＩＤおよび５ＧＬＡＮ  ＩＤに対応するサービスエリア情報を含む場合、第１の構成情報には１または複数の５ＧＬＡＮ  ＩＤが存在してもよく、それに応じて、５ＧＬＡＮ  ＩＤに対応する１または複数のサービスエリア情報が存在してもよく、１つの５ＧＬＡＮ  ＩＤは１つのサービスエリア情報に対応する。これは本明細書で一様に説明されていることであり、詳細は以下では説明しない。例えば、第１の構成情報は、表１に示すようなものであってよい。
［表１］
【表１】
2022501930.tif 000003
【０１０４】
なお、表１は、単に、第１の構成情報（５ＧＬＡＮ  ＩＤとサービスエリア情報を含む）の表記憶方式の例を提供するものに過ぎないことに留意されたい。当然ながら、第１の構成情報を記憶する場合、別の表記憶方式があってよく、または、別の非表記憶方式があってよい。これは、本願の本実施形態では特に限定されない。
【０１０５】
あるいは、オプションで、本願の本実施形態では、第１の構成情報がＰＲＡ  ＩＤおよびＰＲＡ  ＩＤに対応するサービスエリア情報を含む場合、第１の構成情報には１または複数のＰＲＡ  ＩＤが存在し、したがって、ＰＲＡ  ＩＤに対応するサービスエリア情報が１または複数存在し、１つのＰＲＡ  ＩＤが１つのサービスエリア情報に対応する場合がある。これは本明細書で一様に説明されていることであり、詳細は以下では説明しない。例えば、第１の構成情報は、表２に示すようなものであってよい。
［表２］
【表２】
2022501930.tif 000004
【０１０６】
なお、表２は、単に、第１の構成情報（ＰＲＡ  ＩＤとサービスエリア情報を含む）の表記憶方式の例を提供しているに過ぎないことに留意されたい。当然ながら、第１の構成情報を記憶する場合、別の表記憶方式があってよく、または、別の非表記憶方式があってよい。これは、本願の本実施形態では特に限定されない。
【０１０７】
オプションで、本願の本実施形態では、第１の構成情報は、５ＧＬＡＮ  ＩＤに対応するデータネットワーク名（ｄａｔａ  ｎｅｔｗｏｒｋ  ｎａｍｅ、ＤＮＮ）をさらに含んでもよい。これは、本願の本実施形態では特に限定されない。
【０１０８】
例えば、第１の構成情報は、５ＧＬＡＮ  ＩＤと、その５ＧＬＡＮ  ＩＤに対応するサービスエリア情報と、を含む。第１の構成情報が複数の５ＧＬＡＮ  ＩＤを含む場合、異なる５ＧＬＡＮ  ＩＤが異なるＤＮＮに対応していてもよい。例えば、表３に示すように、５ＧＬＡＮ  ＩＤ１と５ＧＬＡＮ  ＩＤ２がＤＮＮ１に対応し、５ＧＬＡＮ  ＩＤ３がＤＮＮ２に対応していてもよい。
［表３］
【表３】
2022501930.tif 000005
【０１０９】
あるいは、例えば、第１の構成情報は、５ＧＬＡＮ  ＩＤと、その５ＧＬＡＮ  ＩＤに対応するサービスエリア情報と、を含む。なお、第１の構成情報が複数の５ＧＬＡＮ  ＩＤを含む場合、複数の５ＧＬＡＮ  ＩＤは、同一のＤＮＮに対応していてもよく、言い換えれば、第１の構成情報は、１つのデータネットワークの構成情報であってよい。例えば、表４に示すように、５ＧＬＡＮ  ＩＤ１、５ＧＬＡＮ  ＩＤ２、５ＧＬＡＮ  ＩＤ３などが全てＤＮＮ１に対応していてもよい。
［表４］
【表４】
2022501930.tif 000006
【０１１０】
なお、表３または表４は、単に第１の構成情報（ＤＮＮ、５ＧＬＡＮ  ＩＤ、サービスエリア情報を含む）の表記憶方式の例を提供するものに過ぎないことに留意されたい。当然ながら、第１の構成情報を記憶する場合、別の表記憶方式があってよく、または、別の非表記憶方式があってよい。これは、本願の本実施形態では特に限定されない。
【０１１１】
オプションで、第１の構成情報がＰＲＡ  ＩＤおよびＰＲＡ  ＩＤに対応するサービスエリア情報を含む場合、表３または表４の５ＧＬＡＮ  ＩＤのみを対応するＰＲＡ  ＩＤに置き換える必要があり、詳細はここでは説明しない。
【０１１２】
本願の本実施形態では、５ＧＬＡＮ  ＩＤは、５ＧＬＡＮグループの識別子と理解してよい。言い換えれば、５ＧＬＡＮ  ＩＤは、５ＧＬＡＮグループ、５ＧＬＡＮ−ＶＮ、または特定の５ＧＬＡＮサービスを識別するために使用されてもよい。同じ５ＧＬＡＮ  ＩＤを使用する端末は、同じ５ＧＬＡＮグループに属し、５ＧＬＡＮ  ＩＤに対応した５ＧＬＡＮサービス、または５ＧＬＡＮ  ＩＤに対応した５ＧＬＡＮ−ＶＮを使用してもよく、言い換えれば、同じ５ＧＬＡＮ  ＩＤを使用する端末間で５ＧＬＡＮプライベート通信を実行してもよい。このことは、本明細書で一様に説明されており、詳細は以下では説明しない。
【０１１３】
オプションで、フォーマットの観点から、５ＧＬＡＮ  ＩＤは、特別なドメイン名（例えば、データネットワーク名（ｄａｔａ  ｎｅｔｗｏｒｋ  ｎａｍｅ，  ＤＮＮ））、完全修飾ドメイン名（ｆｕｌｌｙ  ｑｕａｌｉｆｉｅｄ  ｄｏｍａｉｎ  ｎａｍｅ，  ＦＱＤＮ）、ＶＩＤ、文字列、内部グループ識別子（ｉｎｔｅｒｎａｌ  ｇｒｏｕｐ  ｉｄｅｎｔｉｆｉｅｒ）、外部グループ識別子（ｅｘｔｅｒｎａｌ  ｇｒｏｕｐ  ｉｄｅｎｔｉｆｉｅｒ）、またはシリアル番号であってよい。また、ＬＡＮ  ＩＤは、特殊なフォーマットを代替的に使用してよく、例えば、ＬＡＮ  ＩＤは、プロバイダ情報、オペレータ情報、ネットワーク情報、ドメイン情報などをさらに含んでよい。これは、本願の本実施形態では特に限定されない。
【０１１４】
Ｓ６０２：ＰＣＦネットワーク要素は、第２の構成情報をＡＭＦネットワーク要素に送信する。
【０１１５】
これにより、ＡＭＦネットワーク要素は、ＰＣＦネットワーク要素から第２の構成情報を受信する。
【０１１６】
オプションで、本願の本実施形態では、第１の構成情報が５ＧＬＡＮ  ＩＤおよび５ＧＬＡＮ  ＩＤに対応するサービスエリア情報を含む場合、第２の構成情報は、それに応じて、例えば、５ＧＬＡＮ  ＩＤおよび５ＧＬＡＮ  ＩＤに対応するサービスエリア情報を含んでもよい。例えば、第２の構成情報は、表１に示すようなものであってよい。
【０１１７】
あるいは、本願の本実施形態では、第１の構成情報が５ＧＬＡＮ  ＩＤと、その５ＧＬＡＮ  ＩＤに対応するサービスエリア情報と、を含む場合、したがって、第２の構成情報は、例えば、ＰＲＡ  ＩＤと、そのＰＲＡ  ＩＤに対応するサービスエリア情報とを含んでいてもよい。この場合、本明細書のＰＲＡ  ＩＤは、５ＧＬＡＮ  ＩＤであってよく、または５ＧＬＡＮ  ＩＤに基づいてＰＣＦネットワーク要素が決定するものであってよい。なお、本願の本実施形態では特に限定されない。言い換えれば、ＰＲＡ  ＩＤが５ＧＬＡＮ  ＩＤではない場合、ＰＣＦネットワーク要素は、５ＧＬＡＮ  ＩＤとＰＲＡ  ＩＤとの対応関係を学習し、１つのＰＲＡ  ＩＤが１つの５ＧＬＡＮ  ＩＤに対応するようにしてもよい。例えば、５ＧＬＡＮ  ＩＤとＰＲＡ  ＩＤの対応関係を表５に示すようにしてもよい。
［表５］
【表５】
2022501930.tif 000007
【０１１８】
なお、表５は、単に、５ＧＬＡＮ  ＩＤとＰＲＡ  ＩＤとの対応関係の表記憶方式の例を提供しているに過ぎないことに留意されたい。当然ながら、５ＧＬＡＮ  ＩＤとＰＲＡ  ＩＤとの対応関係を記憶する場合には、別の表記憶方式があってよく、または別の非表記憶方式があってよい。これは、本願の本実施形態では特に限定されない。
【０１１９】
オプションで、本願の本実施形態では、５ＧＬＡＮ  ＩＤとＰＲＡ  ＩＤとの対応関係は、ＰＣＦネットワーク要素上で事前に設定されてもよく、または動的に生成されてもよい。これは、本願の本実施形態では特に限定されない。
【０１２０】
さらに、１つの５ＧＬＡＮ  ＩＤは、１つのＰＲＡ  ＩＤと１つのサービスエリア情報に対応しているため、１つの５ＧＬＡＮ  ＩＤに対応する１つのＰＲＡ  ＩＤと１つのサービスエリア情報にも対応関係がある。言い換えれば、本願の本実施形態における第２の構成情報は、表６に示すようなものであってよい。
［表６］
【表６】
2022501930.tif 000008
【０１２１】
なお、表６は、単に、第２の構成情報（ＰＲＡ  ＩＤとサービスエリア情報を含む）の表記憶方式の例を提供するものに過ぎないことに留意されたい。当然ながら、第２の構成情報を記憶する場合、別の表記憶方式があってよく、または別の非表記憶方式があってよい。これは、本願の本実施形態では特に限定されない。
【０１２２】
あるいは、オプションで、本願の本実施形態において、第１の構成情報が、ＰＲＡ  ＩＤと、ＰＲＡ  ＩＤに対応するサービスエリア情報と、を含む場合、第２の構成情報は、それに応じて、例えば、ＰＲＡ  ＩＤと、ＰＲＡ  ＩＤに対応するサービスエリア情報とを含んでいてもよい。例えば、第２の構成情報は、表２に示すようなものであってよい。
【０１２３】
オプションで、本願の本実施形態では、ＰＣＦネットワーク要素は、特定の端末登録処理において、第２の構成情報をＡＭＦネットワーク要素に送信してもよく、または登録とは関係なく、第１の構成情報を受信した後に、第２の構成情報をＡＭＦネットワーク要素に送信してもよい。これは、本願の本実施形態では特に限定されない。
【０１２４】
また、本願の本実施形態で提供されるローカルエリアネットワーク通信方法は、以下の段階をさらに含んでいてもよい。
【０１２５】
Ｓ６０３：端末は、ＡＭＦネットワーク要素に対して、非アクセス層（ｎｏｎ−ａｃｃｅｓｓ  ｓｔｒａｔｕｍ、ＮＡＳ）メッセージを送信する。
【０１２６】
これにより、端末はＡＭＦネットワーク要素からＮＡＳメッセージを受信する。
【０１２７】
本願の本実施形態では、ＮＡＳメッセージは、セッションセットアップ要求メッセージ、ＰＤＵセッション識別子（セッションＩＤ）、および５ＧＬＡＮ  ＩＤを含む。オプションで、ＮＡＳメッセージは、端末のセッションに対応するＤＮＮを含む。本願の本実施形態では、端末のセッションに対応するＤＮＮを、以降の説明ではＤＮＮ１と仮定する。これは、本明細書に一様に説明されている。
【０１２８】
オプションで、本願の本実施形態では、段階Ｓ６０３のＮＡＳメッセージに１または複数の５ＧＬＡＮ  ＩＤがあってよい。これは、本願の本実施形態では特に限定されない。
【０１２９】
Ｓ６０４：ＡＭＦネットワーク要素は、ＳＭＦネットワーク要素にＮ１１メッセージを送信する。
【０１３０】
したがって、ＳＭＦネットワーク要素は、ＡＭＦネットワーク要素からＮ１１メッセージを受信する。
【０１３１】
本願の本実施形態では、Ｎ１１メッセージは、セッションセットアップ要求メッセージ、ＰＤＵセッション識別子、および５ＧＬＡＮ  ＩＤを含む。また、Ｎ１１メッセージは、端末の識別子をさらに含んでいてもよい。オプションで、ＮＡＳメッセージにＤＮＮ１が含まれている場合、Ｎ１１メッセージにもＤＮＮ１がさらに含まれていてもよい。これは、本願の本実施形態では特に限定されない。
【０１３２】
オプションで、本願の本実施形態では、端末の識別子は、例えば、加入パーマネント識別子（ｓｕｂｓｃｒｉｐｔｉｏｎ  ｐｅｒｍａｎｅｎｔ  ｉｄｅｎｔｉｆｉｅｒ、ＳＵＰＩ）、国際移動体加入者識別子（ｉｎｔｅｒｎａｔｉｏｎａｌ  ｍｏｂｉｌｅ  ｓｕｂｓｃｒｉｂｅｒ  ｉｄｅｎｔｉｆｉｃａｔｉｏｎ  ｎｕｍｂｅｒ、ＩＭＳＩ）、移動局統合サービスデジタルネットワーク番号（ｍｏｂｉｌｅ  ｓｔａｔｉｏｎ  ｉｎｔｅｇｒａｔｅｄ  ｓｅｒｖｉｃｅｓ  ｄｉｇｉｔａｌ  ｎｅｔｗｏｒｋ  ｎｕｍｂｅｒ，  ＭＳＩＳＤＮ）、グローバルに一意な一時的な識別子（ｇｌｏｂａｌ  ｕｎｉｑｕｅ  ｔｅｍｐｏｒａｒｙ  ｉｄｅｎｔｉｆｉｅｒ，  ＧＵＴＩ）、または、データネットワーク関連の識別子（例えば、ネットワークアクセス識別子（ｎｅｔｗｏｒｋ  ａｃｃｅｓｓ  ｉｄｅｎｔｉｆｉｅｒ，  ＮＡＩ）または５ＧＬＡＮ固有の加入者識別子）であってよい。これは、本願の本実施形態では特に限定されない。
【０１３３】
Ｓ６０５：  ＳＭＦネットワーク要素は、端末のアドレスまたは端末のものである仮想ローカルエリアネットワーク識別子（Ｖｉｒｔｕａｌ  Ｌｏｃａｌ  Ａｒｅａ  Ｎｅｔｗｏｒｋ  Ｉｄｅｎｔｉｆｉｅｒ，  ＶＩＤ）を取得する。
【０１３４】
オプションで、本願の本実施形態では、ＳＭＦネットワーク要素が端末のアドレスまたは端末のＶＩＤを取得する態様については、既存の態様を参照する。例えば、端末のアドレスまたは端末のＶＩＤをローカルに割り当てる、端末のアドレスまたは端末のＶＩＤをＵＤＭネットワーク要素から取得する、端末のアドレスまたは端末のＶＩＤをダイナミックホストコンフィグレーションプロトコル（ｄｙｎａｍｉｃ  ｈｏｓｔ  ｃｏｎｆｉｇｕｒａｔｉｏｎ  ｐｒｏｔｏｃｏｌ、ＤＨＣＰ）サーバから取得する、端末のアドレスまたは端末のＶＩＤをデータネットワーク認証・認可・会計（ＤＮ−ａｕｔｈｅｎｔｉｃａｔｉｏｎ−ａｕｔｈｏｒｉｚａｔｉｏｎ−ａｃｃｏｕｎｔｉｎｇ、ＤＮ−ＡＡＡ）サーバから取得する、などがある。詳細は本明細書では説明しない。
【０１３５】
オプションで、本願の本実施形態では、ＳＭＦネットワーク要素が取得した端末のアドレスまたは端末のＶＩＤは、段階Ｓ６０４のＮ１１メッセージの５ＧＬＡＮ  ＩＤに対応する。例えば、段階Ｓ６０４のＮ１１メッセージの５ＧＬＡＮ  ＩＤが１つであれば、ＳＭＦネットワーク要素が取得した端末のアドレスは１つであり、または端末のＶＩＤは１つであり、または、段階Ｓ６０４のＮ１１メッセージの５ＧＬＡＮ  ＩＤが複数であれば、ＳＭＦネットワーク要素が取得した端末のアドレスは複数であってよく、または端末のＶＩＤは複数であってよい。これは本明細書で一様に説明されていることであり、詳細は以下では説明しない。
【０１３６】
オプションで、本願の本実施形態では、端末のアドレスは、例えば、インターネットプロトコルバージョン４（ｉｎｔｅｒｎｅｔ  ｐｒｏｔｏｃｏｌ  ｖｅｒｓｉｏｎ  ４、ＩＰｖ４）アドレス、インターネットプロトコルバージョン６（ｉｎｔｅｒｎｅｔ  ｐｒｏｔｏｃｏｌ  ｖｅｒｓｉｏｎ  ６、ＩＰｖ６）アドレス、メディアアクセスコントロール（ｍｅｄｉａ  ａｃｃｅｓｓ  ｃｏｎｔｒｏｌ、ＭＡＣ）アドレスなどであってよい。これは、本願の本実施形態では特に限定されない。
【０１３７】
Ｓ６０６：ＳＭＦネットワーク要素は、セッション管理（ｓｅｓｓｉｏｎ  ｍａｎａｇｅｍｅｎｔ，  ＳＭ）ポリシ要求メッセージをＰＣＦネットワーク要素に送信する。
【０１３８】
したがって、ＰＣＦネットワーク要素は、ＳＭＦネットワーク要素からＳＭポリシ要求メッセージを受信する。
【０１３９】
オプションで、本願の本実施形態では、ＳＭＦネットワーク要素が段階Ｓ６０５で端末のアドレスを取得した場合、ポリシ要求メッセージは、５ＧＬＡＮ  ＩＤおよび対応する端末のアドレスを含み、または、ＳＭＦネットワーク要素が段階Ｓ６０５で端末のＶＩＤを取得した場合、ポリシ要求メッセージは、５ＧＬＡＮ  ＩＤおよび対応する端末のＶＩＤを含む。これは、本願の本実施形態では特に限定されない。
【０１４０】
段階Ｓ６０６のＳＭポリシ要求メッセージの５ＧＬＡＮ  ＩＤは、Ｎ１１メッセージの５ＧＬＡＮ  ＩＤである。
【０１４１】
オプションで、本願の本実施形態では、Ｎ１１メッセージがＤＮＮ１を含む場合、ＳＭポリシ要求メッセージはさらにＤＮＮ１を含む。これは、本願の本実施形態では特に限定されない。
【０１４２】
オプションで、本願の本実施形態では、ポリシ要求メッセージが５ＧＬＡＮ  ＩＤと対応する端末のアドレスを含む場合、ＳＭＦネットワーク要素からＳＭポリシ要求メッセージを受信した後、ＰＣＦネットワーク要素は、５ＧＬＡＮ  ＩＤと端末のアドレスの対応関係を記憶してもよく、その結果を表７に示す。
［表７］
【表７】
2022501930.tif 000009
【０１４３】
あるいは、オプションで、本願の本実施形態では、ポリシ要求メッセージに５ＧＬＡＮ  ＩＤと対応する端末のアドレスが含まれている場合、ＳＭＦネットワーク要素からＳＭポリシ要求メッセージを受信した後、ＰＣＦネットワーク要素は、ＰＲＡ  ＩＤと端末のアドレスの対応関係を記憶してもよく、その結果は表８に示すとおりであり、または、５ＧＬＡＮ  ＩＤ、ＰＲＡ  ＩＤ、および端末のアドレスの対応関係を記憶してもよく、その結果を表９に示す。ＰＣＦネットワーク要素が、５ＧＬＡＮ  ＩＤに基づいてＰＲＡ  ＩＤを決定する方式については、段階Ｓ６０２を参照されたい。詳細は本明細書では説明しない。
［表８］
【表８】
2022501930.tif 000010
［表９］
【表９】
2022501930.tif 000011
【０１４４】
なお、表７から表９は、単に、端末のアドレスと、５ＧＬＡＮ  ＩＤおよびＰＲＡ  ＩＤの少なくとも１つとの対応関係の表記憶方式の例を提供しているに過ぎないことに留意されたい。当然ながら、端末のアドレスと、５ＧＬＡＮ  ＩＤおよびＰＲＡ  ＩＤの少なくとも１つとの対応関係を記憶する場合には、別の表記憶方式があってよく、または別の非表記憶方式があってよい。これは、本願の本実施形態では特に限定されない。
【０１４５】
あるいは、オプションで、本願の本実施形態では、ポリシ要求メッセージが５ＧＬＡＮ  ＩＤと対応する端末のＶＩＤを含む場合、ＳＭＦネットワーク要素からＳＭポリシ要求メッセージを受信した後、ＰＣＦネットワーク要素は、５ＧＬＡＮ  ＩＤと端末のＶＩＤとの対応関係を記憶してもよく、その結果を表１０に示す。
［表１０］
【表１０】
2022501930.tif 000012
【０１４６】
あるいは、オプションで、本願の本実施形態では、ポリシ要求メッセージが５ＧＬＡＮ  ＩＤと対応する端末のＶＩＤを含む場合、ＳＭＦネットワーク要素からＳＭポリシ要求メッセージを受信した後、ＰＣＦネットワーク要素は、ＰＲＡ  ＩＤと端末のＶＩＤとの対応関係を記憶してもよく、その結果は表１１に示され、または、５ＧＬＡＮ  ＩＤ、ＰＲＡ  ＩＤ、および端末のＶＩＤとの対応関係を記憶してもよく、その結果を表１２に示す。ＰＣＦネットワーク要素が、５ＧＬＡＮ  ＩＤに基づいてＰＲＡ  ＩＤを決定する態様については、段階Ｓ６０２を参照されたい。詳細は本明細書では説明しない。
［表１１］
【表１１】
2022501930.tif 000013
［表１２］
【表１２】
2022501930.tif 000014
【０１４７】
なお、表１０から表１２は、単に、端末のＶＩＤと、５ＧＬＡＮ  ＩＤおよびＰＲＡ  ＩＤの少なくとも１つとの対応関係の表記憶方式の例を提供するものに過ぎないことに留意されたい。当然ながら、端末のＶＩＤと、５ＧＬＡＮ  ＩＤおよびＰＲＡ  ＩＤの少なくとも１つとの対応関係を記憶する場合には、別の表記憶方式があってよく、または別の非表記憶方式があってよい。これは、本願の本実施形態では特に限定されない。
【０１４８】
Ｓ６０７：  ＰＣＦネットワーク要素は、ＳＭＦネットワーク要素に第１の加入（ｓｕｂｓｃｒｉｐｔｉｏｎ）要求メッセージを送信する。
【０１４９】
したがって、ＳＭＦネットワーク要素は、ＰＣＦネットワーク要素から第１の加入要求メッセージを受信する。
【０１５０】
第１の加入要求メッセージは、５ＧＬＡＮ  ＩＤと、その５ＧＬＡＮ  ＩＤに対応するＰＲＡ  ＩＤの少なくとも１つを含む。本明細書における５ＧＬＡＮ  ＩＤまたはＰＲＡ  ＩＤは、サービスエリア制限のある５ＧＬＡＮに対応する５ＧＬＡＮ  ＩＤであり、例えば、段階Ｓ６０６のＳＭポリシ要求メッセージにおける５ＧＬＡＮ  ＩＤから選択され、段階Ｓ６０１の５ＧＬＡＮ  ＩＤと重複する５ＧＬＡＮ  ＩＤ、または、段階Ｓ６０６のＳＭポリシ要求メッセージにおける５ＧＬＡＮ  ＩＤから選択され、段階Ｓ６０１のＰＲＡ  ＩＤに対応する５ＧＬＡＮ  ＩＤと重複する５ＧＬＡＮ  ＩＤである。
【０１５１】
オプションで、本願の本実施形態では、段階Ｓ６０６のＳＭポリシ要求メッセージがＤＮＮ１をさらに含む場合、ＰＣＦネットワーク要素は、ＤＮＮ１を参照して、第１の加入要求メッセージ内の５ＧＬＡＮ  ＩＤまたはＰＲＡ  ＩＤを決定してもよい。これは、本願の本実施形態では特に限定されない。
【０１５２】
オプションで、本願の本実施形態では、段階Ｓ６０１が実行され、段階Ｓ６０２が実行されない場合、第１の加入要求メッセージは、５ＧＬＡＮ  ＩＤまたはＰＲＡ  ＩＤに対応するサービスエリア情報をさらに含む。これは、本願の本実施形態では特に限定されない。
【０１５３】
あるいは、オプションで、本願の本実施形態では、段階Ｓ６０２が実行された場合、段階Ｓ６０２の第２の構成情報がＰＲＡ  ＩＤと対応するサービスエリア情報である場合には、第１の加入要求メッセージはＰＲＡ  ＩＤを含む必要がある。
【０１５４】
あるいは、オプションで、本願の本実施形態では、段階Ｓ６０２が実行された場合、段階Ｓ６０２の第２の構成情報が５ＧＬＡＮ  ＩＤと対応するサービスエリア情報である場合、第１の加入要求メッセージは、５ＧＬＡＮ  ＩＤを含む必要がある。これは本明細書で一様に説明されていることであり、詳細は以下では説明しない。
【０１５５】
オプションで、本願の本実施形態では、複数の５ＧＬＡＮ  ＩＤまたは複数のＰＲＡ  ＩＤに対して加入を実行する必要がある場合、１つの加入要求メッセージを使用して複数の加入を実行してもよく、または１つの加入要求メッセージを使用して各５ＧＬＡＮ  ＩＤまたは各ＰＲＡ  ＩＤに対して加入を実行してもよい。これは、本願の本実施形態では特に限定されない。
【０１５６】
オプションで、本願の本実施形態における第１の加入要求メッセージは、代替的に第１のモビリティイベント加入（ｍｏｂｉｌｉｔｙ  ｅｖｅｎｔ  ｓｕｂｓｃｒｉｐｔｉｏｎ）要求メッセージに置き換えてもよい。これは、本願の本実施形態では特に限定されない。
【０１５７】
Ｓ６０８：ＳＭＦネットワーク要素は、第２の加入（ｓｕｂｓｃｒｉｐｔｉｏｎ）要求メッセージをＡＭＦネットワーク要素に送信する。
【０１５８】
したがって、ＡＭＦネットワーク要素は、ＳＭＦネットワーク要素から第２の加入要求メッセージを受信する。
【０１５９】
第２の加入要求メッセージには、第１の加入要求メッセージの情報が含まれている。例えば、第１の加入要求メッセージがＰＲＡ  ＩＤを含む場合、第２の加入要求メッセージはＰＲＡ  ＩＤを含み、第１の加入要求メッセージが５ＧＬＡＮ  ＩＤを含む場合、第２の加入要求メッセージは５ＧＬＡＮ  ＩＤを含み、または、第１の加入要求メッセージが５ＧＬＡＮ  ＩＤおよびＰＲＡ  ＩＤを含む場合、第２の加入要求メッセージは５ＧＬＡＮ  ＩＤおよびＰＲＡ  ＩＤを含む。これは、本願の本実施形態では特に限定されない。また、第１の加入要求メッセージが、５ＧＬＡＮ  ＩＤまたはＰＲＡ  ＩＤに対応するサービスエリア情報をさらに含む場合、それに応じて第２の加入要求メッセージも、５ＧＬＡＮ  ＩＤまたはＰＲＡ  ＩＤに対応するサービスエリア情報をさらに含む。これは、本願の本実施形態では特に限定されない。
【０１６０】
オプションで、本願の本実施形態では、複数の５ＧＬＡＮ  ＩＤまたは複数のＰＲＡ  ＩＤに対して加入を実行する必要がある場合、１つの加入要求メッセージを使用して複数の加入を実行してもよく、または１つの加入要求メッセージを使用して各５ＧＬＡＮ  ＩＤまたは各ＰＲＡ  ＩＤに対して加入を実行してもよい。これは、本願の本実施形態では特に限定されない。
【０１６１】
オプションで、本願の本実施形態における第２の加入要求メッセージは、代替的に第２のモビリティイベント加入（ｍｏｂｉｌｉｔｙ  ｅｖｅｎｔ  ｓｕｂｓｃｒｉｐｔｉｏｎ）要求メッセージに置き換えてもよい。これは、本願の本実施形態では特に限定されない。
【０１６２】
Ｓ６０９：ＡＭＦネットワーク要素は、加入している５ＧＬＡＮのサービスエリア内で、端末のモビリティイベントを検出する。
【０１６３】
オプションで、本願の本実施形態では、第２の加入要求メッセージが５ＧＬＡＮ  ＩＤまたはＰＲＡ  ＩＤに対応するサービスエリア情報を含む場合、ＡＭＦネットワーク要素は、５ＧＬＡＮ  ＩＤまたはＰＲＡ  ＩＤに対応するサービスエリア情報に基づいて、加入した５ＧＬＡＮのサービスエリア内の端末のモビリティイベントを検出してもよい。
【０１６４】
あるいは、オプションで、本願の本実施形態において、第２の加入要求メッセージが５ＧＬＡＮ  ＩＤまたはＰＲＡ  ＩＤに対応するサービスエリア情報を含まず、段階Ｓ６０２が実行され、段階Ｓ６０２における第２の構成情報がＰＲＡ  ＩＤおよび対応するサービスエリア情報である場合、ＡＭＦネットワーク要素は、第２の加入要求メッセージに含まれるＰＲＡ  ＩＤに基づいて、第２の構成情報を参照して対応するサービスエリア情報を決定し、さらに、サービスエリア情報に基づいて、加入している５ＧＬＡＮのサービスエリア内での端末のモビリティイベントを検出してもよい。これは、本願の本実施形態では特に限定されない。
【０１６５】
あるいは、オプションで、本願の本実施形態では、第２の加入要求メッセージが、５ＧＬＡＮ  ＩＤまたはＰＲＡ  ＩＤに対応するサービスエリア情報を含まないが、段階Ｓ６０２が実行され、段階Ｓ６０２における第２の構成情報が、５ＧＬＡＮ  ＩＤおよび対応するサービスエリア情報である場合、ＡＭＦネットワーク要素は、第２の加入要求メッセージに含まれる５ＧＬＡＮ  ＩＤに基づいて、第２の構成情報を参照して対応するサービスエリア情報を決定し、さらに、サービスエリア情報に基づいて、加入した５ＧＬＡＮのサービスエリア内の端末のモビリティイベントを検出してもよい。これは、本願の本実施形態では特に限定されない。
【０１６６】
オプションで、本願の本実施形態において、ＡＭＦネットワーク要素が第２の加入要求を受け入れるか、またはＡＭＦネットワーク要素が加入した５ＧＬＡＮのサービスエリア内での端末のモビリティイベント、例えば、端末が加入した５ＧＬＡＮ１のサービスエリアに移動したり、または、サービスエリアから移動したりすることを検出した場合、本願の本実施形態で提供されるローカルエリアネットワーク通信方法は、以下の段階をさらに含むことができる。
【０１６７】
Ｓ６１０：ＡＭＦネットワーク要素は、ＳＭＦネットワーク要素に第１のイベントレポートを送信する。
【０１６８】
したがって、ＳＭＦネットワーク要素は、ＡＭＦネットワーク要素から第１のイベントレポートを受信する。
【０１６９】
第１のイベントレポートには、５ＧＬＡＮ１の第１のイベントと指示情報が含まれている。第１のイベントには、端末が５ＧＬＡＮ１のサービスエリアに移動したこと、またはサービスエリアから移動したことが含まれる。なお、５ＧＬＡＮ１の指示情報は、例えば、５ＧＬＡＮ  ＩＤ１、またはＰＲＡ  ＩＤ１などであってよい。
【０１７０】
オプションで、本願の本実施形態では、５ＧＬＡＮ１の指示情報は、例えば、５ＧＬＡＮ  ＩＤ１またはＰＲＡ  ＩＤ１を含んでもよい。これは、本願の本実施形態では特に限定されない。
【０１７１】
なお、第２の加入要求メッセージに５ＧＬＡＮ  ＩＤが含まれている場合、それに応じて５ＧＬＡＮ１の指示情報には、例えば、５ＧＬＡＮ  ＩＤ１が含まれていてもよく、または、第２の加入要求メッセージにＰＲＡ  ＩＤが含まれている場合、それに応じて５ＧＬＡＮ１の指示情報には、例えば、ＰＲＡ  ＩＤ１が含まれていてもよいことに留意されたい。これは本明細書で一様に説明されていることであり、詳細は以下では説明しない。
【０１７２】
Ｓ６１１：  ＳＭＦネットワーク要素は、ＰＣＦネットワーク要素に第１のイベントレポートを送信する。
【０１７３】
したがって、ＰＣＦネットワーク要素は、ＳＭＦネットワーク要素から第１のイベントレポートを受信する。
【０１７４】
Ｓ６１２：ＰＣＦネットワーク要素は、第１のイベントおよび５ＧＬＡＮ１の指示情報に基づいて、端末に対応する第１のＰＣＣルールを更新する。
【０１７５】
オプションで、本願の本実施形態において、５ＧＬＡＮ１の指示情報が、第１のイベントおよび５ＧＬＡＮ１の指示情報に基づいて、ＰＣＦネットワーク要素が更新する５ＧＬＡＮ  ＩＤ１である場合、端末に対応する第１のＰＣＣルールは、例えば、ＰＣＦネットワーク要素が５ＧＬＡＮ  ＩＤ１と端末の対応するアドレスとの対応関係（例えば、表７または表９）を参照して、５ＧＬＡＮ  ＩＤ１に基づいて、端末のアドレスであり、５ＧＬＡＮ  ＩＤ１に対応するアドレスを決定し、次に、第１のイベントと決定した端末のアドレスとに基づいて、端末に対応する第１のＰＣＣルールを更新することであってよい。
【０１７６】
あるいは、オプションで、本願の本実施形態において、５ＧＬＡＮ１の指示情報が、第１のイベントと５ＧＬＡＮ１の指示情報に基づいて、ＰＣＦネットワーク要素が更新する５ＧＬＡＮ  ＩＤ１である場合、端末に対応する第１のＰＣＣルールは、例えば、ＰＣＦネットワーク要素が、５ＧＬＡＮ  ＩＤ１と端末の対応するＶＩＤとの対応関係（例えば、表１０または表１２）を参照して、５ＧＬＡＮ  ＩＤ１に基づいて、端末のＶＩＤであって、５ＧＬＡＮ  ＩＤ１に対応するＶＩＤを決定し、次に、第１のイベントと、決定した端末のＶＩＤとに基づいて、端末に対応する第１のＰＣＣルールを更新することであってよい。
【０１７７】
あるいは、オプションで、本願の本実施形態において、５ＧＬＡＮ１の指示情報が、第１のイベントと５ＧＬＡＮ１の指示情報に基づいて、ＰＣＦネットワーク要素が更新するＰＲＡ  ＩＤ１である場合、端末に対応する第１のＰＣＣルールは、例えば、ＰＣＦネットワーク要素が、ＰＲＡ  ＩＤ  １と、端末の対応するアドレスとの対応関係（例えば、表８または表９）を参照して、ＰＲＡ  ＩＤ  １に基づいて、端末のアドレスであって、ＰＲＡ  ＩＤ  １に対応するアドレスを決定し、次に、第１のイベントと、決定した端末のアドレスとに基づいて、端末に対応する第１のＰＣＣルールを更新することであってよい。
【０１７８】
あるいは、オプションで、本願の本実施形態において、５ＧＬＡＮ１の指示情報が、第１のイベントと５ＧＬＡＮ１の指示情報に基づいて、ＰＣＦネットワーク要素が更新するＰＲＡ  ＩＤ１である場合、端末に対応する第１のＰＣＣルールは、例えば、ＰＣＦネットワーク要素が、ＰＲＡ  ＩＤ１と、端末の対応するＶＩＤとの対応関係（例えば、表１１または表１２）を参照して、ＰＲＡ  ＩＤ１に基づいて、端末のＶＩＤであって、ＰＲＡ  ＩＤ１に対応するＶＩＤを決定し、次に、第１のイベントと決定した端末のＶＩＤとに基づいて、端末に対応する第１のＰＣＣルールを更新することであってよい。
【０１７９】
オプションで、本願の本実施形態では、ＰＣＦネットワーク要素が、第１のイベントおよび決定された端末のアドレスに基づいて、端末に対応する第１のＰＣＣルールを更新する段階は、例えば、以下の、第１のイベントが、端末が５ＧＬＡＮ１のサービスエリアに移動したことである場合、端末のアドレスに関連付けられているフィルタおよびサービス品質（Ｑｕａｌｉｔｙ  ｏｆ  Ｓｅｒｖｉｃｅ、ＱｏＳ）パラメータを決定し、フィルタおよびＱｏＳパラメータを第１のＰＣＣルールに追加して、更新された第１のＰＣＣルールを取得する段階、または、端末が５ＧＬＡＮ１のサービスエリア外に移動したことが第１のイベントである場合、端末のアドレスに関連付けられたフィルタおよびＱｏＳパラメータを決定し、フィルタおよびＱｏＳパラメータを第１のＰＣＣルールから削除して、更新された第１のＰＣＣルールを取得する段階、を含んでもよい。
【０１８０】
あるいは、オプションで、本願の本実施形態において、ＰＣＦネットワーク要素が、第１のイベントおよび決定された端末のＶＩＤに基づいて、端末に対応する第１のＰＣＣルールを更新する段階は、例えば、以下の、第１のイベントが、端末が５ＧＬＡＮ１のサービスエリアに移動したことである場合、端末のＶＩＤに関連付けられているフィルタおよびＱｏＳパラメータを決定し、フィルタおよびＱｏＳパラメータを第１のＰＣＣルールに追加して、更新された第１のＰＣＣルールを取得する段階、または、端末が５ＧＬＡＮ１のサービスエリア外に移動したことが第１のイベントである場合、端末のＶＩＤに関連付けられたフィルタおよびＱｏＳパラメータを決定し、フィルタおよびＱｏＳパラメータを第１のＰＣＣルールから削除して、更新された第１のＰＣＣルールを取得する段階、を含んでもよい。
【０１８１】
Ｓ６１３：ＰＣＦネットワーク要素は、更新された第１のＰＣＣルールをＳＭＦネットワーク要素に送信する。
【０１８２】
したがって、ＳＭＦネットワーク要素は、ＰＣＦネットワーク要素から更新された第１のＰＣＣルールを受信する。
【０１８３】
Ｓ６１４：ＳＭＦネットワーク要素は、更新された第１のＰＣＣルールに基づいて、端末のセッションを修正する。
【０１８４】
オプションで、可能な実装では、本願の本実施形態において、ＳＭＦネットワーク要素が更新された第１のＰＣＣルールに基づいて端末のセッションを修正する段階は、更新された第１のＰＣＣルールが、端末が５ＧＬＡＮ１でデータをルーティングすることを許可されていることを示す場合、ＳＭＦネットワーク要素が、ＵＰＦネットワーク要素に第１のルーティングルールを設定するように指示する段階であって、ここで、第１のルーティングルールは、端末のアドレスまたは端末のＶＩＤを含み、セッションを５ＧＬＡＮ１に関連付けるために使用される段階、を含んでもよい。例えば、更新された第１のＰＣＣルールが、端末のアドレスに関連付けられたフィルタおよびＱｏＳパラメータを含む場合、更新された第１のＰＣＣルールは、端末が５ＧＬＡＮ１内でデータをルーティングすることが許可されていることを示し、次に、ＳＭＦネットワーク要素は、ＵＰＦネットワーク要素に第１のルーティングルールを設定するように指示してもよく、ここで、第１のルーティングルールには端末のアドレスが含まれる。あるいは、例えば、更新された第１のＰＣＣルールが、端末のＶＩＤに関連するフィルタおよびＱｏＳパラメータを含む場合、更新された第１のＰＣＣルールは、端末が５ＧＬＡＮ１内でデータをルーティングすることが許可されていることを示し、次に、ＳＭＦネットワーク要素は、ＵＰＦネットワーク要素に、第１のルーティングルールを設定するように指示してもよく、ここで、第１のルーティングルールは、端末のＶＩＤを含む。
【０１８５】
オプションで、前述の場合、端末のセッションが非アクティブ化されている場合、ＳＭＦネットワーク要素は、さらに、端末のセッションのユーザプレーン接続をアクティブ化する必要がある。例えば、ＳＭＦネットワーク要素は、ダウンリンクデータ通知またはダウンリンクデータを受信するとき、Ｎ１１メッセージ（Ｎａｍｆ＿Ｃｏｍｍｕｎｉｃａｔｉｏｎ＿Ｎ１Ｎ２ＭｅｓｓａｇｅＴｒａｎｓｆｅｒ）をＡＭＦネットワーク要素に送信し、端末のセッションに対するネットワークトリガーのサービス要求プロセスをトリガして、端末のセッションのユーザプレーン接続をアクティブ化する。あるいは、ＡＭＦネットワーク要素が送信したＮ１１メッセージ（Ｎｓｍｆ＿ＰＤＵＳｅｓｓｉｏｎ＿ＵｐｄａｔｅＳＭＣｏｎｔｅｘｔ  Ｒｅｑｕｅｓｔ）を受信した後、ＳＭＦネットワーク要素は、端末のセッションのユーザプレーン接続をアクティブ化する。
【０１８６】
あるいは、オプションで、別の可能な実装では、本願の本実施形態において、ＳＭＦネットワーク要素が、更新された第１のＰＣＣルールに基づいて端末のセッションを修正する段階は、更新された第１のＰＣＣルールが、端末が５ＧＬＡＮ１でデータをルーティングすることを許可されていないことを示す場合、ＳＭＦネットワーク要素が、ＵＰＦネットワーク要素に、第１のルーティングルールを削除するように指示する段階であって、ここで、第１のルーティングルールは、端末のアドレスまたは端末のＶＩＤを含み、セッションを５ＧＬＡＮ１と関連付けるために使用される段階、を含んでよい。例えば、更新された第１のＰＣＣルールが、端末のアドレスに関連するフィルタおよびＱｏＳパラメータを含まない場合、更新された第１のＰＣＣルールは、端末が５ＧＬＡＮ１内でデータをルーティングすることが許可されていないことを示してもよく、次に、ＳＭＦネットワーク要素は、ＵＰＦネットワーク要素に、第１のルーティングルールを削除するように指示し、ここで、第１のルーティングルールは、端末のアドレスまたは端末のＶＩＤを含む。
【０１８７】
オプションで、前述の場合において、端末のセッションが５ＧＬＡＮ１のみへのアクセスを許可されている場合、ＳＭＦネットワーク要素は、さらに、端末のセッションのユーザプレーン接続を非アクティブ化する必要があり、ＳＭＦネットワーク要素は、データ通知が無効になることを保証する必要がある。ＳＭＦネットワーク要素は、端末が５ＧＬＡＮ１のサービスエリアに移動したことが一定時間後に通知されない場合、ＳＭＦネットワーク要素は、端末のセッションをリリースする。あるいは、ＳＭＦネットワーク要素が直接、端末のセッションをリリースする。
【０１８８】
オプションで、本願の本実施形態において、ＳＭＦネットワーク要素がＵＰＦネットワーク要素に第１のルーティングルールの設定を指示する段階は、例えば、ＳＭＦネットワーク要素が、端末のアドレスまたは端末のＶＩＤに基づいて第１のルーティングルールを決定し、第１のルーティングルールをＮ４セッション修正／設定メッセージに追加し、Ｎ４セッション修正／設定メッセージをＵＰＦネットワーク要素に送信する段階と、ＵＰＦネットワーク要素が第１のルーティングルールを設定する段階と、を含んでもよい。
【０１８９】
オプションで、本願の本実施形態において、ＳＭＦネットワーク要素がＵＰＦネットワーク要素に第１のルーティングルールの削除を指示する段階は、例えば、ＳＭＦネットワーク要素が、端末のアドレスまたは端末のＶＩＤに基づいて第１のルーティングルールを決定し、端末のセッションのルーティングルールから第１のルーティングルールを削除し、Ｎ４セッション修正／リリースメッセージに、第１ルーティングルールを含まない端末の更新されたセッションルールを追加し、Ｎ４セッション修正／リリースメッセージをＵＰＦネットワーク要素に送信する段階と、ＵＰＦネットワーク要素が、第１ルーティングルールを含まない端末のセッションルールに基づいて、ローカルの第１ルーティングルールを削除する段階と、を含んでよい。あるいは、ＳＭＦネットワーク要素は、Ｎ４セッション修正／リリースメッセージに５ＧＬＡＮ  ＩＤを追加し、Ｎ４セッション修正／リリースメッセージをＵＰＦネットワーク要素に送信し、ＵＰＦネットワーク要素は、５ＧＬＡＮ  ＩＤに基づいて第１のルーティングルールを削除する。
【０１９０】
オプションで、本願の本実施形態では、更新された第１のＰＣＣルールを受信した後、ＳＭＦネットワーク要素は、以下の方式で、端末のアドレスまたは端末のＶＩＤを決定してもよい。ＳＭＦネットワーク要素は、端末に対応するローカルに記憶されたセッションＰＣＣルールと、更新された第１のＰＣＣルールとを比較して、端末のアドレスまたは端末のＶＩＤを決定する。例えば、端末に対応するローカルに記憶されたセッションＰＣＣルールと比較して、更新された第１のＰＣＣルールは、端末のアドレスまたは端末のＶＩＤを含むＰＣＣルールを有する。または、端末に対応するローカルに記憶されたセッションＰＣＣルールと比較して、更新された第１のＰＣＣルールが、端末のアドレスまたは端末のＶＩＤを含むＰＣＣルールを有していない場合、追加されたＰＣＣルールまたは低減されたＰＣＣルールに関連する端末のアドレスまたは端末のＶＩＤが、端末のアドレスまたは端末のＶＩＤであると決定されてもよい。
【０１９１】
前述のローカルエリアネットワーク通信方法に基づいて、端末の１つのセッションが複数の５ＧＬＡＮサービスに接続されている場合、端末の位置に基づいて１または複数の５ＧＬＡＮでの端末の通信を制限することができる。関連する技術的効果の分析については、図１に示す通信システム部分を参照されたい。詳細は本明細書では説明しない。
【０１９２】
段階Ｓ６０１からＳ６１４におけるＰＣＦネットワーク要素またはＳＭＦネットワーク要素の動作は、メモリ５０３に記憶されたアプリケーションプログラムコードを起動することにより、図５に示した通信装置５００のプロセッサ５０１を実行してもよい。本実施形態ではこれは限定されない。
【０１９３】
オプションで、例えば、図２に示した通信システムを図３に示した５Ｇネットワークに適用する。図７は、本願の実施形態によるローカルエリアネットワーク通信方法を示す図である。ローカルエリアネットワーク通信方法は、オプションで以下の段階Ｓ７０１を含む。
【０１９４】
Ｓ７０１：ＬＡＮコントローラがＡＭＦネットワーク要素に構成情報を送信する。
【０１９５】
したがって、ＡＭＦネットワーク要素は、ＰＣＦネットワーク要素から構成情報を受信する。
【０１９６】
本願の本実施形態における構成情報は、図６に示す実施形態における第２の構成情報と同じであってよい。関連する説明については、図６に示す実施形態を参照されたい。詳細は本明細書では説明しない。
【０１９７】
オプションで、本願の本実施形態では、ＬＡＮコントローラは、構成情報をＡＭＦネットワーク要素に直接送信してもよく、またはＰＣＦネットワーク要素などの別のネットワーク要素を介して構成情報をＡＭＦネットワーク要素に送信してもよい。これは、本願の本実施形態では特に限定されない。
【０１９８】
また、本願の本実施形態で提供されるローカルエリアネットワーク通信方法は、以下の段階Ｓ７０２からＳ７０４をさらに含んでよい。
【０１９９】
Ｓ７０２からＳ７０４は、図６に示す実施形態における段階Ｓ６０３からＳ６０５と同じである。関連する説明については、図６に示す実施形態を参照されたい。詳細は本明細書では説明しない。
【０２００】
また、本願の本実施形態では、端末のアドレスを決定した後、ＳＭＦネットワーク要素は、５ＧＬＡＮ  ＩＤと端末のアドレスとの対応関係（例えば、表７に示すような対応関係）をさらに記憶してもよい。後者の場合、ＳＭＦネットワーク要素が端末のアドレスを決定した後、ＳＭＦネットワーク要素が、その後、５ＧＬＡＮ  ＩＤに対応するＰＲＡ  ＩＤを取得する可能性がある場合、ＳＭＦネットワーク要素は、ＰＲＡ  ＩＤと端末のアドレスとの対応関係（例えば、表８に示すような対応関係）をさらに記憶するか、または、５ＧＬＡＮ  ＩＤ、ＰＲＡ  ＩＤ、および端末のアドレスとの対応関係（例えば、表９に示すような対応関係）を記憶してもよい。あるいは、端末のＶＩＤを決定した後、ＳＭＦネットワーク要素は、５ＧＬＡＮ  ＩＤと端末のＶＩＤとの間の対応関係（例えば、表１０に示すような対応関係）をさらに記憶してもよい。または、ＳＭＦネットワーク要素が端末のＶＩＤを決定した後、ＳＭＦネットワーク要素が、その後、５ＧＬＡＮ  ＩＤに対応するＰＲＡ  ＩＤを取得する可能性がある場合、ＳＭＦネットワーク要素は、ＰＲＡ  ＩＤと端末のＶＩＤとの間の対応関係（例えば、表１０に示すようなもの）をさらに記憶してもよく、または、５ＧＬＡＮ  ＩＤ、ＰＲＡ  ＩＤ、および端末のＶＩＤとの間の対応関係（例えば、表１１に示すようなもの）を記憶してもよい。これは、本願の本実施形態では特に限定されない。
【０２０１】
オプションで、本願の本実施形態において、段階Ｓ７０１が実行されない場合、本願の本実施形態で提供されるローカルエリアネットワーク通信方法は、以下の段階Ｓ７０５からＳ７０７をさらに含んでもよい。
【０２０２】
Ｓ７０５：ＳＭＦネットワーク要素は、ＬＡＮコントローラに５ＧＬＡＮ情報認証または取得要求メッセージを送信する。
【０２０３】
これにより、ＬＡＮコントローラは、ＳＭＦネットワーク要素から５ＧＬＡＮ情報認証または取得要求メッセージを受信する。
【０２０４】
本願の本実施形態では、５ＧＬＡＮ情報認証または取得要求メッセージに５ＧＬＡＮ  ＩＤが含まれていてもよく、その５ＧＬＡＮ  ＩＤはＮ１１メッセージの５ＧＬＡＮ  ＩＤである。
【０２０５】
オプションで、５ＧＬＡＮ情報認証または取得要求メッセージは、ＤＮＮ１をさらに含んでもよい。これは、本願の本実施形態では特に限定されない。
【０２０６】
Ｓ７０６：ＬＡＮコントローラは、５ＧＬＡＮ  ＩＤに対応するサービスエリア情報を決定する。
【０２０７】
本願の本実施形態では、５ＧＬＡＮ情報認証または取得要求メッセージが複数の５ＧＬＡＮ  ＩＤを含む場合、ＬＡＮコントローラは、複数のサービスエリア情報を決定してもよい。１つのサービスエリア情報は、１つの５ＧＬＡＮ  ＩＤに対応している。
【０２０８】
オプションで、５ＧＬＡＮ情報認証または取得要求メッセージに含まれる５ＧＬＡＮ  ＩＤが対応するサービスエリア情報を有さない場合、ＬＡＮコントローラは、５ＧＬＡＮ  ＩＤに対応するサービスエリア情報を決定する必要はない。あるいは、５ＧＬＡＮ情報認証または取得要求メッセージに複数の５ＧＬＡＮ  ＩＤが含まれている場合、いくつかの５ＧＬＡＮ  ＩＤは対応するサービスエリア情報を有さず、いくつかの５ＧＬＡＮ  ＩＤは対応するサービスエリア情報を有しており、この場合、対応するサービスエリア情報を持つ５ＧＬＡＮ  ＩＤについて、ＬＡＮコントローラはその５ＧＬＡＮ  ＩＤに対応するサービスエリア情報を決定する。これは本明細書で一様に説明されており、詳細は以下では説明しない。
【０２０９】
オプションで、本願の本実施形態では、５ＧＬＡＮ  ＩＤとサービスエリア情報との対応関係をＬＡＮコントローラに構成してもよい。例えば、表１に示す対応関係があってよい。さらに、ＬＡＮコントローラは、５ＧＬＡＮ  ＩＤを受信した後、その対応関係に基づいて、対応するサービスエリア情報を決定してもよい。
【０２１０】
あるいは、オプションで、本願の本実施形態では、ＤＮＮ、５ＧＬＡＮ  ＩＤ、およびサービスエリア情報の対応関係をＬＡＮコントローラに構成してもよい。例えば、表３または表４に示す対応関係があってよい。さらに、ＬＡＮコントローラは、ＤＮＮ１と５ＧＬＡＮ  ＩＤを受信した後、その対応関係に基づいて、対応するサービスエリア情報を決定してもよい。
【０２１１】
Ｓ７０７：ＬＡＮコントローラは、ＳＭＦネットワーク要素に対して、５ＧＬＡＮ情報認証または取得応答メッセージを送信する。
【０２１２】
これにより、ＳＭＦネットワーク要素は、ＬＡＮコントローラから５ＧＬＡＮ情報認証または取得応答メッセージを受信する。
【０２１３】
５ＧＬＡＮ情報認証または取得応答メッセージは、対応するサービスエリア情報と、５ＧＬＡＮ  ＩＤおよびＰＲＡ  ＩＤの少なくとも１つを含む。例えば、５ＧＬＡＮ情報認証または取得応答メッセージが、５ＧＬＡＮ  ＩＤと対応するサービスエリア情報を含む場合、５ＧＬＡＮ  ＩＤと対応するサービスエリア情報は、表１に示すようにしてもよい。あるいは、例えば、５ＧＬＡＮ情報認証または取得応答メッセージにＰＲＡ  ＩＤとそれに対応するサービスエリア情報が含まれている場合、ＰＲＡ  ＩＤとそれに対応するサービスエリア情報を表２に示すようにしてもよい。あるいは、例えば、５ＧＬＡＮ情報認証または取得応答メッセージが、５ＧＬＡＮ  ＩＤ、ＰＲＡ  ＩＤ、および対応するサービスエリア情報を含む場合には、５ＧＬＡＮ  ＩＤ、ＰＲＡ  ＩＤ、および対応するサービスエリア情報を表１３に示すようにしてもよい。
［表１３］
【表１３】
2022501930.tif 000015
【０２１４】
なお、表１３は、単に、５ＧＬＡＮ  ＩＤ、ＰＲＡ  ＩＤ、および対応するサービスエリア情報の表の関連付けの態様の例を提供するものに過ぎないことに留意されたい。当然ながら、５ＧＬＡＮ  ＩＤ、ＰＲＡ  ＩＤ、および対応するサービスエリア情報は、別の方式で代替的に関連付けられてもよい。これは、本願の本実施形態では特に限定されない。
【０２１５】
オプションで、本願の本実施形態では、段階Ｓ７０１が実行された場合、ＳＭＦネットワーク要素は、代替的に、５ＧＬＡＮ情報認証または取得要求メッセージをＬＡＮコントローラに送信してもよい。これにより、ＬＡＮコントローラは、ＳＭＦネットワーク要素から５ＧＬＡＮ情報認証または取得要求メッセージを受信する。なお、５ＧＬＡＮ情報認証または取得要求メッセージには、５ＧＬＡＮ  ＩＤが含まれていてもよく、５ＧＬＡＮ  ＩＤは、Ｎ１１メッセージの５ＧＬＡＮ  ＩＤである。さらに、ＬＡＮコントローラは、５ＧＬＡＮ情報認証または取得応答メッセージをＳＭＦネットワーク要素に送信してもよい。これにより、ＳＭＦネットワーク要素は、ＬＡＮコントローラから５ＧＬＡＮ情報認証または取得応答メッセージを受信する。５ＧＬＡＮ情報認証または取得応答メッセージは、５ＧＬＡＮ  ＩＤに対応するＰＲＡ  ＩＤを含む。これは、本願の本実施形態では特に限定しない。
【０２１６】
オプションで、本願の本実施形態では、段階Ｓ７０３のＮ１１メッセージが複数の５ＧＬＡＮ  ＩＤを含む場合には、代替的に複数の５ＧＬＡＮ  ＩＤをＳ７０５に保持し、段階Ｓ７０５からＳ７０７を１回実行することで、各５ＧＬＡＮ  ＩＤに対応するサービスエリア情報を取得するようにしてもよい。この場合、５ＧＬＡＮ情報認証または取得応答メッセージは、５ＧＬＡＮ  ＩＤと各５ＧＬＡＮ  ＩＤのサービスエリア情報を保持してもよく、または５ＧＬＡＮ情報認証または取得応答メッセージは、ＰＲＡ  ＩＤと各５ＧＬＡＮ  ＩＤのサービスエリア情報を保持してもよく、または５ＧＬＡＮ情報認証または取得応答メッセージは、５ＧＬＡＮ  ＩＤ、ＰＲＡ  ＩＤ、および各５ＧＬＡＮ  ＩＤのサービスエリア情報を保持してもよい。これは、本願の本実施形態では特に限定されない。
【０２１７】
オプションで、本願の本実施形態では、段階Ｓ７０３のＮ１１メッセージが複数の５ＧＬＡＮ  ＩＤを含む場合には、段階Ｓ７０５からＳ７０７を複数回実行することにより、各５ＧＬＡＮ  ＩＤに対応するサービスエリア情報を取得してもよい。この場合、５ＧＬＡＮ情報認証または取得応答メッセージには、５ＧＬＡＮ  ＩＤまたはＰＲＡ  ＩＤは含まれず、サービスエリア情報が含まれてよい。これは、本願の本実施形態では特に限定されない。
【０２１８】
あるいは、オプションで、本願の本実施形態において、本願の本実施形態で提供されるローカルエリアネットワーク通信方法において、段階Ｓ７０１が実行された場合、段階Ｓ７０３が実行された後、段階Ｓ７０５も実行されることにより、ＬＡＮコントローラは、５ＧＬＡＮ情報認証または取得要求メッセージの５ＧＬＡＮ  ＩＤに対応する５ＧＬＡＮにサービスエリア制限があるかどうかを決定し、次に、ＬＡＮコントローラは、ＳＭＦネットワーク要素に５ＧＬＡＮ情報認証または取得応答メッセージを送信してもよい。これにより、ＳＭＦネットワーク要素は、ＬＡＮコントローラから５ＧＬＡＮ情報認証または取得応答メッセージを受信する。５ＧＬＡＮ情報認証または取得応答メッセージは、対応するサービスエリア制限指示情報と、５ＧＬＡＮ  ＩＤおよびＰＲＡ  ＩＤのうちの少なくとも１つを含む。このようにして、ＳＭＦネットワーク要素は、その後、サービスエリア制限指示情報に基づいてＡＭＦネットワーク要素に加入要求メッセージを送信することができる。これは、本願の本実施形態では特に限定されない。
【０２１９】
Ｓ７０８：ＳＭＦネットワーク要素は、ＡＭＦネットワーク要素に加入（ｓｕｂｓｃｒｉｐｔｉｏｎ）要求メッセージを送信する。
【０２２０】
したがって、ＡＭＦネットワーク要素は、ＳＭＦネットワーク要素から加入要求メッセージを受信する。
【０２２１】
加入要求メッセージには、５ＧＬＡＮ  ＩＤと、その５ＧＬＡＮ  ＩＤに対応するＰＲＡ  ＩＤの少なくとも１つが含まれる。なお、本明細書における５ＧＬＡＮ  ＩＤまたはＰＲＡ  ＩＤは、サービスエリア制限のある５ＧＬＡＮに対応する５ＧＬＡＮ  ＩＤである。例えば、ここでの５ＧＬＡＮ  ＩＤは、段階Ｓ７０７の５ＧＬＡＮ情報認証または取得応答メッセージにおける５ＧＬＡＮ  ＩＤであってよく、または、ここでの５ＧＬＡＮ  ＩＤは、段階Ｓ７０７の５ＧＬＡＮ情報認証または取得応答メッセージにおけるＰＲＡ  ＩＤに対応する５ＧＬＡＮ  ＩＤであってよく、または、ここでの５ＧＬＡＮ  ＩＤは、段階Ｓ７０７の５ＧＬＡＮ情報認証または取得応答メッセージにおけるサービスエリア制限指示情報に基づいて決定された５ＧＬＡＮ  ＩＤであってよい。
【０２２２】
オプションで、加入要求メッセージは、５ＧＬＡＮ  ＩＤまたはＰＲＡ  ＩＤに対応するサービスエリア情報をさらに含んでもよい。例えば、前述の段階Ｓ７０５からＳ７０７が実行され、５ＧＬＡＮ情報認証または取得応答メッセージがＰＲＡ  ＩＤおよび対応するサービスエリア情報を含む場合、または５ＧＬＡＮ情報認証または取得応答メッセージが５ＧＬＡＮ  ＩＤ、ＰＲＡ  ＩＤ、および対応するサービスエリア情報を含む場合、加入要求メッセージはＰＲＡ  ＩＤおよび対応するサービスエリア情報を含んでもよい。あるいは、例えば、前述の段階Ｓ７０５からＳ７０７が実行され、５ＧＬＡＮ情報認証または取得応答メッセージが、５ＧＬＡＮ  ＩＤに対応するサービスエリア情報を含む場合、加入要求メッセージは、５ＧＬＡＮ  ＩＤと対応するサービスエリア情報を含む。あるいは、例えば、段階Ｓ７０１が実行され、段階Ｓ７０５からＳ７０７が実行されない場合、加入要求メッセージは、５ＧＬＡＮ  ＩＤを含んでいてもよい。これは、本願の本実施形態では特に限定されない。
【０２２３】
オプションで、本願の本実施形態では、複数の５ＧＬＡＮ  ＩＤまたは複数のＰＲＡ  ＩＤに対して加入を実行する必要がある場合、１つの加入要求メッセージを使用して複数の加入を実行してもよく、または１つの加入要求メッセージを使用して各５ＧＬＡＮ  ＩＤまたは各ＰＲＡ  ＩＤに対して加入を実行してもよい。これは、本願の本実施形態では特に限定されない。
【０２２４】
オプションで、本願の本実施形態における加入要求メッセージは、代替的にモビリティイベント加入（ｍｏｂｉｌｉｔｙ  ｅｖｅｎｔ  ｓｕｂｓｃｒｉｐｔｉｏｎ）要求メッセージに置き換えてもよい。これは、本願の本実施形態では特に限定されない。
【０２２５】
Ｓ７０９、Ｓ７１０は、図６に示す実施形態における段階Ｓ６０９、Ｓ６１０と同じである。関連する説明については、図６に示す実施形態を参照されたい。詳細は本明細書では説明しない。
【０２２６】
Ｓ７１１：ＳＭＦネットワーク要素は、第１のイベントと５ＧＬＡＮ１の指示情報に基づいて、端末のセッションを修正する。
【０２２７】
オプションで、本願の本実施形態において、ＳＭＦネットワーク要素が、第１のイベントおよび５ＧＬＡＮ１の指示情報に基づいて、端末のセッションを修正する段階は、可能な実装において、ＳＭＦネットワーク要素が、第１のイベントおよび５ＧＬＡＮ１の指示情報に基づいて、端末が５ＧＬＡＮ１でデータをルーティングすることが許可されていると決定した場合、ＳＭＦネットワーク要素が、ＵＰＦネットワーク要素に第１のルーティングルールを設定するように指示する段階であって、ここで、第１のルーティングルールは、端末のアドレスまたは端末のＶＩＤを含み、セッションを５ＧＬＡＮ１と関連付けるために使用される段階、を含んでよい。なお、端末のアドレスは、第１のイベントレポートの５ＧＬＡＮ１の指示情報に基づいて、５ＧＬＡＮ１の指示情報と端末のものであるアドレスとの対応関係（表７、表８、または表９に示す）を参照して決定してもよい。あるいは、第１のイベントレポートの５ＧＬＡＮ  １の指示情報に基づいて、５ＧＬＡＮ  １の指示情報と端末のＶＩＤとの対応関係（表１０、表１１、または表１２に示す）を参照して、端末のＶＩＤを決定してもよい。
【０２２８】
オプションで、前述の場合、端末のセッションが非アクティブ化されている場合、ＳＭＦネットワーク要素は、さらに、端末のセッションのユーザプレーン接続をアクティブ化する必要がある。関連する説明として、図６に示す実施形態の段階Ｓ６１４を参照する。詳細は本明細書では説明しない。
【０２２９】
あるいは、オプションで、本願の本実施形態において、別の可能な実装では、ＳＭＦネットワーク要素が、第１のイベントおよび５ＧＬＡＮ１の指示情報に基づいて、端末のセッションを修正する段階は、ＳＭＦネットワーク要素が、第１のイベントおよび５ＧＬＡＮ１の指示情報に基づいて、端末が５ＧＬＡＮ１でデータをルーティングすることが許可されていないと決定した場合、ＳＭＦネットワーク要素が、ＵＰＦネットワーク要素に、第１のルーティングルールを削除するように指示する段階であって、ここで、第１のルーティングルールは、端末のアドレスまたは端末のＶＩＤを含み、セッションを５ＧＬＡＮ１に関連付けるために使用される段階、を含んでよい。
【０２３０】
オプションで、前述の場合、端末のセッションが５ＧＬＡＮ１のみへのアクセスを許可されている場合、ＳＭＦネットワーク要素はさらに、端末のセッションを非アクティブ化または直接リリースする必要がある。関連する説明として、図６に示す実施形態の段階Ｓ６１４を参照する。詳細は本明細書では説明しない。
【０２３１】
オプションで、本願の本実施形態では、第１のイベントが、端末が５ＧＬＡＮ１のサービスエリアに移動したことである場合、ＳＭＦネットワーク要素は、第１のイベントと５ＧＬＡＮ１の指示情報に基づいて、５ＧＬＡＮ１でのデータのルーティングが許可されていると決定してもよい。あるいは、本願の本実施形態では、第１のイベントが、端末が５ＧＬＡＮ１のサービスエリア外に移動したことである場合、ＳＭＦネットワーク要素は、第１のイベントと５ＧＬＡＮ１の指示情報とに基づいて、５ＧＬＡＮ１でのデータのルーティングが許可されていないと決定してもよい。
【０２３２】
オプションで、本願の本実施形態において、ＳＭＦネットワーク要素がＵＰＦネットワーク要素に第１のルーティングルールを設定するように指示し、またはＳＭＦネットワーク要素がＵＰＦネットワーク要素に第１のルーティングルールを削除するように指示する関連する実装については、図６に示す実施形態における段階Ｓ６１４を参照されたい。詳細は本明細書では説明しない。
【０２３３】
オプションで、本願の本実施形態では、ＳＭＦネットワーク要素は、５ＧＬＡＮ１の指示情報と、５ＧＬＡＮ１の指示情報と端末のものであるアドレスとの間の記憶された対応関係に基づいて、端末のアドレスを決定してもよく、または、ＳＭＦネットワーク要素は、５ＧＬＡＮ１の指示情報と、５ＧＬＡＮ１の指示情報と端末のものであるＶＩＤとの間の記憶された対応関係に基づいて、端末のＶＩＤを決定してもよい。
【０２３４】
前述のローカルエリアネットワーク通信方法に基づいて、端末の１つのセッションが複数の５ＧＬＡＮサービスに接続されている場合、端末の位置に基づいて１または複数の５ＧＬＡＮでの端末の通信を制限することができる。関連する技術的効果の分析については、図１に示す通信システム部分を参照されたい。詳細は本明細書では説明しない。
【０２３５】
段階Ｓ７０１からＳ７１１におけるＡＭＦネットワーク要素またはＳＭＦネットワーク要素の動作は、メモリ５０３に記憶されたアプリケーションプログラムコードを呼び出すことにより、図５に示した通信装置５００のプロセッサ５０１によって実行されてもよい。本実施形態ではこれは限定されない。
【０２３６】
オプションで、例えば、図２に示した通信システムを図３に示した５Ｇネットワークに適用する。図８は、本願の実施形態によるローカルエリアネットワーク通信方法を示す。ローカルエリアネットワーク通信方法は、オプションで以下の段階Ｓ８０１を含む。
【０２３７】
Ｓ８０１は、図７に示した実施形態の段階Ｓ７０１と同じである。関連する説明については、図７に示す実施形態を参照されたい。詳細は本明細書では説明しない。
【０２３８】
Ｓ８０２：端末は、ＡＭＦネットワーク要素にＮＡＳメッセージを送信する。
【０２３９】
これにより、端末はＡＭＦネットワーク要素からＮＡＳメッセージを受信する。
【０２４０】
本願の本実施形態では、ＮＡＳメッセージは、端末のセッションに対応するセッションセットアップ要求メッセージ、ＰＤＵセッション識別子（セッションＩＤ）、ＤＮＮを含む。本願の本実施形態では、端末のセッションに対応するＤＮＮを、以降の説明ではＤＮＮ１と仮定する。これは、本明細書に一様に説明されている。
【０２４１】
Ｓ８０３：ＡＭＦネットワーク要素は、ＳＭＦネットワーク要素にＮ１１メッセージを送信する。
【０２４２】
したがって、ＳＭＦネットワーク要素は、ＡＭＦネットワーク要素からＮ１１メッセージを受信する。
【０２４３】
本願の本実施形態では、Ｎ１１メッセージは、セッションセットアップ要求メッセージ、ＰＤＵセッション識別子、およびＤＮＮを含む。また、Ｎ１１メッセージは、端末の識別子をさらに含んでいてもよい。端末の識別子の関連する説明については、図６に示す実施形態における段階Ｓ６０４を参照されたい。詳細は本明細書では説明しない。
【０２４４】
Ｓ８０４：ＳＭＦネットワーク要素は、ＬＡＮコントローラに５ＧＬＡＮ情報認証または取得要求メッセージを送信する。
【０２４５】
これにより、ＬＡＮコントローラは、ＳＭＦネットワーク要素から５ＧＬＡＮ情報認証または取得要求メッセージを受信する。
【０２４６】
本願の本実施形態では、５ＧＬＡＮ情報認証または取得要求メッセージは、ＤＮＮ１と端末の識別子を含んでいてもよい。
【０２４７】
Ｓ８０５：ＬＡＮコントローラは、ＤＮＮ１に関連付けられた５ＧＬＡＮ  ＩＤを決定し、５ＧＬＡＮ  ＩＤに対応した端末のアドレスまたはＶＩＤを割り当てる、または、ＬＡＮコントローラは、ＤＮＮ１に関連付けられたＰＲＡ  ＩＤを決定し、ＰＲＡ  ＩＤに対応した端末のアドレスまたはＶＩＤを割り当てる。
【０２４８】
オプションで、本願の本実施形態では、段階Ｓ８０１が実行されない場合、ＬＡＮコントローラがＤＮＮ１に関連付けられた５ＧＬＡＮ  ＩＤを決定し、５ＧＬＡＮ  ＩＤに対応する５ＧＬＡＮがサービスエリア制限を有する場合、ＬＡＮコントローラは、５ＧＬＡＮ  ＩＤに対応するサービスエリア情報を決定することがさらに必要であり、または、ＬＡＮコントローラがＤＮＮ１に関連付けられたＰＲＡ  ＩＤを決定し、ＰＲＡ  ＩＤに対応する５ＧＬＡＮがサービスエリア制限を有する場合、ＬＡＮコントローラは、ＰＲＡ  ＩＤに対応するサービスエリア情報を決定することがさらに必要である。
【０２４９】
オプションで、本願の本実施形態では、ＤＮＮ１に関連する１または複数の５ＧＬＡＮ  ＩＤがあってよく、またはＤＮＮ１に関連する１または複数のＰＲＡ  ＩＤがあってよい。これは、本願の本実施形態では特に限定されない。
【０２５０】
複数の５ＧＬＡＮ  ＩＤまたはＰＲＡ  ＩＤがある場合、対応するサービスエリア情報が１または複数ある。例えば、ＤＮＮ、５ＧＬＡＮ  ＩＤ、サービスエリア情報の対応関係を表３または表４に示すことができる。
【０２５１】
あるいは、複数の５ＧＬＡＮ  ＩＤがある場合、それに対応する端末のアドレスが１または複数あってよい。例えば、表７または表９のように、５ＧＬＡＮ  ＩＤと端末のアドレスとの対応関係を示すことができる。
【０２５２】
あるいは、複数のＰＲＡ  ＩＤがある場合、それに対応する端末のアドレスが１または複数あってよい。例えば、ＰＲＡ  ＩＤと端末のアドレスとの対応関係を表８または表９に示すことができる。
【０２５３】
あるいは、複数の５ＧＬＡＮ  ＩＤがある場合、それに対応する１または複数の端末のＶＩＤがあってよい。例えば、５ＧＬＡＮ  ＩＤと端末のＶＩＤとの対応関係を表１０または表１２に示すことができる。
【０２５４】
あるいは、複数のＰＲＡ  ＩＤがある場合、それに対応する１または複数の端末のＶＩＤがあってよい。例えば、ＰＲＡ  ＩＤと端末のＶＩＤとの対応関係を表１１または表１２に示すことができる。
【０２５５】
Ｓ８０６：ＬＡＮコントローラは、ＳＭＦネットワーク要素に対して、５ＧＬＡＮ情報認証または取得応答メッセージを送信する。
【０２５６】
これにより、ＳＭＦネットワーク要素は、ＬＡＮコントローラから５ＧＬＡＮ情報認証または取得応答メッセージを受信する。
【０２５７】
オプションで、段階Ｓ８０５において、ＬＡＮコントローラが、ＤＮＮ１に関連する５ＧＬＡＮ  ＩＤを決定し、端末のものであり、かつ、５ＧＬＡＮ  ＩＤに対応するアドレスを割り当てた場合、５ＧＬＡＮ情報認証または取得応答メッセージは、それに応じて、５ＧＬＡＮ  ＩＤおよび対応する端末のアドレスを含む。
【０２５８】
あるいは、オプションで、段階Ｓ８０５において、ＬＡＮコントローラが、ＤＮＮ１に関連付けられた５ＧＬＡＮ  ＩＤを決定し、端末のものであり、かつ、５ＧＬＡＮ  ＩＤに対応するＶＩＤを割り当てた場合、それに応じて、５ＧＬＡＮ情報認証または取得応答メッセージは、５ＧＬＡＮ  ＩＤおよび対応する端末のＶＩＤを含む。
【０２５９】
あるいは、オプションで、段階Ｓ８０５において、ＬＡＮコントローラが、ＤＮＮ１に関連付けられたＰＲＡ  ＩＤを決定し、端末のものであり、かつ、ＰＲＡ  ＩＤに対応するアドレスを割り当てた場合、それに応じて、５ＧＬＡＮ情報認証または取得応答メッセージは、ＰＲＡ  ＩＤと対応する端末のアドレスを含む。
【０２６０】
あるいは、オプションで、段階Ｓ８０５において、ＬＡＮコントローラが、ＤＮＮ１に関連付けられたＰＲＡ  ＩＤを決定し、端末のものであり、かつ、ＰＲＡ  ＩＤに対応するＶＩＤを割り当てた場合、５ＧＬＡＮ情報認証または取得応答メッセージは、それに応じて、ＰＲＡ  ＩＤおよび対応する端末のＶＩＤを含む。
【０２６１】
オプションで、本願の本実施形態では、ＬＡＮコントローラが、段階Ｓ８０５において、５ＧＬＡＮ  ＩＤまたはＰＲＡ  ＩＤに対応するサービスエリア情報をさらに決定した場合、５ＧＬＡＮ情報認証または取得応答メッセージは、５ＧＬＡＮ  ＩＤまたはＰＲＡ  ＩＤに対応するサービスエリア情報をさらに含む。
【０２６２】
前述の段階Ｓ８０４からＳ８０６に基づいて、ＳＭＦネットワーク要素は、端末のものであり、５ＧＬＡＮ  ＩＤまたはＰＲＡ  ＩＤに対応するアドレスを取得してもよく、または、ＳＭＦネットワーク要素は、端末のものであり、５ＧＬＡＮ  ＩＤまたはＰＲＡ  ＩＤに対応するＶＩＤを取得してもよい。オプションで、ＳＭＦネットワーク要素は、５ＧＬＡＮ  ＩＤまたはＰＲＡ  ＩＤに対応するサービスエリア情報を取得してもよい。
【０２６３】
オプションで、本願の本実施形態では、段階Ｓ８０１が実行された場合、本願の本実施形態で提供されるローカルエリアネットワーク通信方法において、段階Ｓ８０３が実行された後、段階Ｓ８０４も実行されてもよい。これにより、ＬＡＮコントローラは、ＤＮＮ１に関連付けられた５ＧＬＡＮ  ＩＤに対応する５ＧＬＡＮであって、５ＧＬＡＮ情報認証または取得要求メッセージに含まれる５ＧＬＡＮにサービスエリア制限があるか否かを決定し、さらに段階Ｓ８０６と同様の段階を実行してもよく、例えば、段階Ｓ８０６における対応するサービスエリア情報を、対応するサービスエリア制限指示情報に置き換える点が違いである。関連する説明については、段階Ｓ８０６を参照されたい。詳細は本明細書では説明しない。
【０２６４】
オプションで、本願の本実施形態では、ＳＭＦネットワーク要素は、図５または図６に示す実施形態の方式で、端末のものであり、５ＧＬＡＮ  ＩＤまたはＰＲＡ  ＩＤに対応するアドレス、または端末のものであり、５ＧＬＡＮ  ＩＤまたはＰＲＡ  ＩＤに対応するＶＩＤを決定してもよい。あるいは、図５または図６に示す実施形態において、端末のものであり、かつ、５ＧＬＡＮ  ＩＤまたはＰＲＡ  ＩＤに対応するアドレスは、本願の本実施形態における前述の段階Ｓ８０４からＳ８０６において、端末のものであり、かつ、５ＧＬＡＮ  ＩＤまたはＰＲＡ  ＩＤに対応するアドレスを取得する前述の方式で代替的に取得されてもよい。あるいは、図５または図６に示す実施形態において、端末のものであり、かつ、５ＧＬＡＮ  ＩＤまたはＰＲＡ  ＩＤに対応するＶＩＤを、本願の本実施形態における前述の段階Ｓ８０４からＳ８０６で、端末のものであり、かつ、５ＧＬＡＮ  ＩＤまたはＰＲＡ  ＩＤに対応するＶＩＤを取得するという前述の方式で取得してもよい。これは、本願の本実施形態では特に限定されない。
【０２６５】
Ｓ８０７は、図７に示す実施形態の段階Ｓ７０８と同様である。例えば、段階Ｓ８０７において、加入要求メッセージに含まれる５ＧＬＡＮ  ＩＤまたはＰＲＡ  ＩＤが、サービスエリア制限のある５ＧＬＡＮに対応する５ＧＬＡＮ  ＩＤである点が異なる。例えば、段階Ｓ８０６の５ＧＬＡＮ情報認証または取得応答メッセージにサービスエリア情報が含まれている場合、段階Ｓ８０７の加入要求メッセージに含まれる５ＧＬＡＮ  ＩＤは、サービスエリア情報に対応する５ＧＬＡＮ  ＩＤであってよい。あるいは、例えば、段階Ｓ８０６の５ＧＬＡＮ情報認証または取得応答メッセージがサービスエリア情報を含まないが、段階Ｓ８０１が実行された場合、段階Ｓ８０７の加入要求メッセージに含まれる５ＧＬＡＮ  ＩＤは、段階Ｓ８０６の５ＧＬＡＮ情報認証または取得応答メッセージに含まれるサービスエリア制限指示情報に基づいて決定された５ＧＬＡＮ  ＩＤであってよい。その他の関連する説明については、図７に示す実施形態の段階Ｓ７０８を参照されたい。詳細は本明細書では説明しない。
【０２６６】
Ｓ８０８からＳ８１０は、図７に示した実施形態の段階Ｓ７０９からＳ７１１と同じである。関連する説明については、図７に示す実施形態を参照されたい。詳細は本明細書では説明しない。
【０２６７】
前述のローカルエリアネットワーク通信方法に基づいて、端末の１つのセッションが複数の５ＧＬＡＮサービスに接続されている場合、端末の位置に基づいて１または複数の５ＧＬＡＮでの端末の通信を制限することができる。関連する技術的効果の分析については、図１に示す通信システム部分を参照されたい。詳細は本明細書では説明しない。
【０２６８】
段階Ｓ８０１からＳ８１０におけるＡＭＦネットワーク要素またはＳＭＦネットワーク要素の動作は、メモリ５０３に記憶されたアプリケーションプログラムコードを、図５に示した通信装置５００のプロセッサ５０１が呼び出すことによって実行されてもよい。本実施形態ではこれは限定されない。
【０２６９】
前述では、主にネットワーク要素間の相互作用の観点から、本願の実施形態で提供される解決手段を説明した。前述の機能を実装するために、前述のポリシ制御ネットワーク要素または前述のセッション管理ネットワーク要素は、各機能を実装するための対応するハードウェア構造および／またはソフトウェアモジュールを含むことを理解されたい。当業者であれば、本明細書で開示された実施形態において説明された例と組み合わせて、ユニット及びアルゴリズム段階が、本願のハードウェアまたはハードウェアとコンピュータソフトウェアとの組み合わせによって実装されてよいことを容易に認識するはずである。ある機能がハードウェアで実行されるのか、またはコンピュータソフトウェアで駆動するハードウェアで実行されるのかは、技術的解決手段の特定の用途及び設計上の制約条件に依存する。当業者であれば、異なる方法を使用して、説明された機能を各特定の用途に実装してよいが、この実装例が本願の範囲を超えるものとみなされるべきではない。
【０２７０】
本願の実施形態では、前述の方法の例に基づく分割により、ポリシ制御ネットワーク要素またはセッション管理ネットワーク要素の機能モジュールを取得することができる。例えば、対応する機能に基づいて分割して機能モジュールを取得してよく、または２または複数の機能を１つの処理モジュールに統合してもよい。統合されたモジュールは、ハードウェアの形態で実装されてもよく、または、ソフトウェア機能モジュールの形態で実装されてもよい。本願の本実施形態においては、モジュール分割は、例であり、単なる論理的な機能分割に過ぎないことに留意されたい。実際の実装では、別の分割方式が用いられてもよい。
【０２７１】
例えば、機能モジュールが分割により統合態様で取得される場合、図９は、ポリシ制御ネットワーク要素９０の概略構造図である。ポリシ制御ネットワーク要素９０は、トランシーバモジュール９０２と処理モジュール９０１を含む。トランシーバモジュール９０２は、セッション管理ネットワーク要素から第１のイベントレポートを受信するように構成される。第１のイベントレポートは、第１のイベントと第１のローカルエリアネットワークの指示情報を含み、第１のイベントは、端末が前記第１のローカルエリアネットワークのサービスエリアに移動したことまたはサービスエリアから移動したことを含む。処理モジュール９０１は、第１のイベントおよび指示情報に基づいて、端末に対応するＰＣＣルールを更新するように構成される。トランシーバモジュール９０２は、更新された第１のＰＣＣルールをセッション管理ネットワーク要素に送信するようにさらに構成される。
【０２７２】
オプションで、トランシーバモジュール９０２は、セッション管理ネットワーク要素に第１の加入要求メッセージを送信するようにさらに構成される。第１の加入要求メッセージは、第１のローカルエリアネットワークの指示情報を保持し、端末のものであり、第１のローカルエリアネットワークに関連するモビリティイベントへの加入を要求するために使用される。
【０２７３】
オプションで、処理モジュール９０１が、第１のイベントおよび指示情報に基づいて、端末に対応する第１のＰＣＣルールを更新するように構成されている段階は、指示情報に基づいて端末のアドレスを決定する段階と、第１のイベントおよび端末のアドレスに基づいて、端末に対応する第１のＰＣＣルールを更新する段階と、を含む。
【０２７４】
オプションで、処理モジュール９０１が、第１のイベントおよび指示情報に基づいて、端末に対応する第１のＰＣＣルールを更新するように構成されている段階は、第１のローカルエリアネットワークの指示情報に基づいて、端末の仮想ローカルエリアネットワーク識別子を決定する段階と、第１のイベントおよび端末のものである仮想ローカルエリアネットワーク識別子に基づいて、端末に対応する第１のＰＣＣルールを更新する段階と、を含む。
【０２７５】
前述の方法の実施形態における段階の全ての関連内容は、対応する機能モジュールの機能説明に引用することができ、詳細はここでは再度説明しない。
【０２７６】
本実施形態では、ポリシ制御ネットワーク要素９０は、統合態様の分割によって取得される機能モジュールの形態で提示される。ここでいう「モジュール」とは、特定のＡＳＩＣ、回路、１または複数のソフトウェアまたはファームウェアプログラムを実行するプロセッサおよびメモリ、集積論理回路、および／または、前述の機能を提供できる別の装置を指する。単純な実施形態では、当業者は、ポリシ制御ネットワーク要素９０が、図５に示され得る形態であってよいことを把握してよい。
【０２７７】
例えば、図５のプロセッサ５０１が、メモリ５０３に記憶されたコンピュータ実行可能命令を呼び出すことにより、ポリシ制御ネットワーク要素９０が、前述の方法の実施形態におけるローカルエリアネットワーク通信方法を実行するようにしてもよい。
【０２７８】
具体的には、図９のトランシーバモジュール９０２および処理モジュール９０１の機能／実装処理は、メモリ５０３に記憶されたコンピュータ実行可能命令を起動することにより、図５のプロセッサ５０１によって実装されてもよい。あるいは、図９の処理モジュール９０１の機能／実装処理は、メモリ５０３に記憶されたコンピュータ実行可能命令を呼び出すことにより、図５のプロセッサ５０１によって実装されてもよく、図９のトランシーバモジュール９０２の機能／実装処理は、図５の通信インタフェース５０４によって実装されてもよい。
【０２７９】
なお、本実施形態で提供されるポリシ制御ネットワーク要素９０は、前述のローカルエリアネットワーク通信方法を実行することができるため、ポリシ制御ネットワーク要素９０が実現できる技術的効果については、前述の方法の実施形態を参照し、ここでは再度詳細を説明しない。
【０２８０】
オプションで、本願の実施形態は、装置をさらに提供する（例えば、装置はチップシステムであってよい）。装置はプロセッサを含み、ポリシ制御ネットワーク要素が前述のローカルエリアネットワーク通信方法を実装するために、例えば、第１のイベントおよび指示情報に基づいて、端末に対応する第１のＰＣＣルールを更新することを支援するように構成される。可能な設計では、装置はメモリをさらに含む。メモリは、プログラム命令と、ポリシ制御ネットワーク要素に必要なデータを記憶するように構成されている。当然ながら、メモリは代替的に装置内になくてもよい。装置がチップシステムの場合、装置はチップを含んでいてもよく、またはチップと他の個別装置を含んでいてもよい。これは、本願の本実施形態では特に限定されない。
【０２８１】
例えば、機能モジュールを分割して統合態様で取得する場合、図１０は、セッション管理ネットワーク要素１００の概略構造図である。セッション管理ネットワーク要素１００は、処理モジュール１００１とトランシーバモジュール１００２を含む。
【０２８２】
可能な実装では、トランシーバモジュール１００２は、第１のイベントレポートをポリシ制御ネットワーク要素に送信するように構成される。第１のイベントレポートは、第１のイベントと第１のローカルエリアネットワークの指示情報を含み、第１のイベントは、端末が第１のローカルエリアネットワークのサービスエリアに移動したことまたはサービスエリアから移動したことを含む。トランシーバモジュール１００２は、さらに、端末に対応する更新された第１のＰＣＣルールを、ポリシ制御ネットワーク要素から受信するように構成される。処理モジュール１００１は、更新された第１のＰＣＣルールに基づいて、端末のセッションを修正するように構成される。
【０２８３】
オプションで、トランシーバモジュール１００２は、ポリシ制御ネットワーク要素から第１の加入要求メッセージを受信するようにさらに構成される。第１の加入要求メッセージは、第１のローカルエリアネットワークの指示情報を保持し、端末のものであり、第１のローカルエリアネットワークに関連するモビリティイベントへの加入を要求するために使用される。
【０２８４】
オプションで、処理モジュール１００１が、更新された第１のＰＣＣルールに基づいて端末のセッションを修正するように構成される段階は、更新された第１のＰＣＣルールが、端末が第１のローカルエリアネットワーク内でデータをルーティングすることが許可されていることを示している場合、ユーザプレーン機能ネットワーク要素に第１のルーティングルールを設定するように指示する段階であって、ここで、第１のルーティングルールは、端末のアドレスまたは端末の仮想ローカルエリアネットワーク識別子を含む段階、を含む。
【０２８５】
オプションで、処理モジュール１００１は、以下のようにさらに構成される。端末のセッションが非アクティブ化されている場合、端末のセッションのユーザプレーン接続をアクティブ化する。
【０２８６】
オプションで、処理モジュール１００１が、更新された第１のＰＣＣルールに基づいて端末のセッションを修正するように構成される段階は、更新された第１のＰＣＣルールが、端末が第１のローカルエリアネットワーク内でデータをルーティングすることが許可されていないことを示す場合、ユーザプレーン機能ネットワーク要素に、第１のルーティングルールを削除するように指示する段階であって、ここで、第１のルーティングルールは、端末のアドレスまたは端末の仮想ローカルエリアネットワーク識別子を含む段階、を含む。
【０２８７】
オプションで、処理モジュール１００１は、端末のセッションが第１のローカルエリアネットワークのみへのアクセスを許可されている場合、端末のセッションのユーザプレーン接続を非アクティブ化するか、または端末のセッションを直接リリースするようにさらに構成される。
【０２８８】
別の可能な実装では、トランシーバモジュール１００２は、モビリティ管理ネットワーク要素から第１のイベントレポートを受信するように構成される。第１のイベントレポートは、第１のイベントと第１のローカルエリアネットワークの指示情報を含み、第１のイベントは、端末が第１のローカルエリアネットワークのサービスエリアに移動したことまたはサービスエリアから移動したことを含む。処理モジュール１００１は、第１のイベントおよび第１のローカルエリアネットワークの指示情報に基づいて、端末のセッションを修正するように構成される。
【０２８９】
オプションで、トランシーバモジュール１００２は、第１の加入要求メッセージをモビリティ管理ネットワーク要素に送信するようにさらに構成される。第１の加入要求メッセージは、第１のローカルエリアネットワークの指示情報を保持し、端末のものであり、第１のローカルエリアネットワークに関連するモビリティイベントへの加入を要求するために使用される。
【０２９０】
オプションで、処理モジュール１００１が、第１のイベントおよび第１のローカルエリアネットワークの指示情報に基づいて端末のセッションを修正するように構成される段階は、第１のイベントおよび第１のローカルエリアネットワークの指示情報に基づいて、端末が第１のローカルエリアネットワーク内でデータをルーティングすることが許可されていると決定する場合、ユーザプレーン機能ネットワーク要素に第１のルーティングルールを設定するように指示する段階であって、ここで、第１のルーティングルールは、端末のアドレスまたは端末の仮想ローカルエリアネットワーク識別子を含む段階、を含む。
【０２９１】
オプションで、処理モジュール１００１は、以下のようにさらに構成される。端末のセッションが非アクティブ化されている場合、端末のセッションのユーザプレーン接続をアクティブ化する。
【０２９２】
オプションで、処理モジュール１００１が、第１のイベントおよび第１のローカルエリアネットワークの指示情報に基づいて端末のセッションを修正するように構成される段階は、第１のイベントおよび第１のローカルエリアネットワークの指示情報に基づいて、端末が第１のローカルエリアネットワーク内でデータをルーティングすることが許可されていないと決定する場合、ユーザプレーン機能ネットワーク要素に、第１のルーティングルールを削除するように指示する段階であって、ここで、第１のルーティングルールは、端末のアドレスまたは端末の仮想ローカルエリアネットワーク識別子を含む段階、を含む。
【０２９３】
オプションで、処理モジュール１００１は、端末のセッションが第１のローカルエリアネットワークのみへのアクセスを許可されている場合、端末のセッションのユーザプレーン接続を非アクティブ化するか、または端末のセッションを直接リリースするようにさらに構成される。
【０２９４】
前述の方法の実施形態における段階の全ての関連内容は、対応する機能モジュールの機能説明に引用することができ、詳細はここでは再度説明しない。
【０２９５】
本実施形態では、セッション管理ネットワーク要素１００は、統合態様の分割によって取得される機能モジュールの形態で提示される。ここでいう「モジュール」とは、特定のＡＳＩＣ、回路、１または複数のソフトウェアまたはファームウェアプログラムを実行するプロセッサおよびメモリ、集積論理回路、および／または、前述の機能を提供できる別の装置を指する。単純な実施形態では、当業者は、セッション管理ネットワーク要素１００が、図５に示し得る形態であってよいことを把握することができる。
【０２９６】
例えば、図５のプロセッサ５０１が、メモリ５０３に記憶されたコンピュータ実行可能命令を呼び出すことで、セッション管理ネットワーク要素１００が、前述の方法の実施形態におけるローカルエリアネットワーク通信方法を実行するようにしてもよい。
【０２９７】
具体的には、図１０のトランシーバモジュール１００２および処理モジュール１００１の機能／実装処理は、メモリ５０３に記憶されたコンピュータ実行可能命令を呼び出すことにより、図５のプロセッサ５０１によって実装されてもよい。あるいは、図１０の処理モジュール１００１の機能／実装処理は、メモリ５０３に記憶されたコンピュータ実行可能命令を呼び出すことにより、図５のプロセッサ５０１によって実装されてもよく、図１０のトランシーバモジュール１００２の機能／実装処理は、図５の通信インタフェース５０４によって実装されてもよい。
【０２９８】
本実施形態で提供されるセッション管理ネットワーク要素１００は、前述のローカルエリアネットワーク通信を実行することができるため、セッション管理ネットワーク要素１００が実現できる技術的効果については、前述の方法の実施形態を参照し、ここでは再度詳細を説明しない。
【０２９９】
オプションで、本願の実施形態は、装置をさらに提供する（例えば、装置はチップシステムであってよい）。本装置は、セッション管理ネットワーク要素が、前述のローカルエリアネットワーク通信を実装するために、例えば、第１のイベントおよび指示情報に基づいて、端末に対応する第１のＰＣＣルールを更新することを支援するように構成された、プロセッサを含む。可能な設計では、装置はメモリをさらに含む。メモリは、セッション管理ネットワーク要素に必要なプログラム命令とデータを記憶するように構成されている。当然ながら、メモリは代替的に装置内になくてもよい。装置がチップシステムの場合、装置はチップを含んでいてもよく、またはチップと他の個別装置を含んでいてもよい。これは、本願の本実施形態では特に限定されない。
【０３００】
前述の実施形態の全てまたはいくつかは、ソフトウェア、ハードウェア、ファームウェア、またはそれらの任意の組み合わせを使用することにより実装され得る。ソフトウェアプログラムが実施形態を実装するように用いられるとき、実施形態は、コンピュータプログラム製品の形態で完全に、または部分的に実装され得る。コンピュータプログラム製品は、１または複数のコンピュータ命令を含む。コンピュータプログラム命令がロードされコンピュータ上で実行されたとき、本願の実施形態による手順または機能が全てまたは部分的に生成される。コンピュータは、汎用コンピュータ、専用コンピュータ、コンピュータネットワーク、または別のプログラム可能な装置であってよい。コンピュータ命令は、コンピュータ可読記憶媒体内に記憶されてよい、または、コンピュータ可読記憶媒体から別のコンピュータ可読記憶媒体に伝送されてよい。例えば、コンピュータ命令は、あるウェブサイト、コンピュータ、サーバまたはデータセンタから、別のウェブサイト、コンピュータ、サーバまたはデータセンタへ、有線（例えば、同軸ケーブル、光ファイバまたはデジタル加入者線（ｄｉｇｉｔａｌ  ｓｕｂｓｃｒｉｂｅｒ  ｌｉｎｅ、ＤＳＬ））または無線（例えば、赤外線、電波またはマイクロ波）方式で伝送されてよい。コンピュータ可読記憶媒体は、コンピュータからアクセス可能な任意の使用可能な媒体、または、１または複数の使用可能な媒体を統合する、サーバまたはデータセンタなどのデータ記憶装置であってよい。使用可能な媒体は、磁気媒体（例えば、フロッピ（登録商標）ディスク、ハードディスク、または磁気テープ）、光媒体（例えば、ＤＶＤ）、半導体媒体（例えば、ソリッドステートドライブ（Ｓｏｌｉｄ  Ｓｔａｔｅ  Ｄｉｓｋ、ＳＳＤ））などであってよい。
【０３０１】
本願は実施形態を参照して説明されるが、保護を主張する本願を実装するプロセスにおいて、当業者であれば、添付図面、開示の内容、および、添付された特許請求の範囲を参照することによって、開示された実施形態の別の変形を理解して実装し得る。請求項において、「含む」（ｃｏｍｐｒｉｓｉｎｇ）は、別のコンポーネントまたは別の段階を排除せず、「ある」または「１つ」は、複数の意味を排除しない。単一のプロセッサまたは別のユニットが、特許請求の範囲に列挙されるいくつかの機能を実装し得る。互いに異なるいくつかの手段が複数の従属請求項に記されているが、このことが、これらの手段を組み合わせてより優れた効果を生み出すことができないことを意味しているわけではない。
【０３０２】
本願は、特定の特徴およびその実施形態を参照して説明されているが、本願の範囲を逸脱することなく、それらの様々な修正や組み合わせを行うことができることは明らかである。これに対応して、本明細書および添付図面は、添付された特許請求の範囲により定義される本願の単なる例示的な説明にすぎず、本願の範囲に含まれる修正例、変形例、組み合わせ例、または均等物のうちのいずれかまたは全てとみなされる。当業者であれば、本願の範囲から逸脱することなく、本願の実施形態に様々な修正および変形を加えることができることが明らかである。本願は、以下の特許請求の範囲によって定義される保護範囲内およびその同等な技術に含まれる限り、本願のこれらの修正および変形を包含することを意図する。
［他の考えられる項目］
［項目１］
ローカルエリアネットワーク通信方法であって、
ポリシ制御ネットワーク要素が、セッション管理ネットワーク要素から第１のイベントレポートを受信する段階であって、上記第１のイベントレポートは、第１のイベントおよび第１のローカルエリアネットワークの指示情報を有し、上記第１のイベントは、端末が上記第１のローカルエリアネットワークのサービスエリアに移動したことまたはサービスエリアから移動したことを有する段階と、
上記ポリシ制御ネットワーク要素が、上記第１のイベントおよび上記指示情報に基づいて、上記端末に対応する第１のポリシおよび課金制御ＰＣＣルールを更新する段階と、
上記ポリシ制御ネットワーク要素が、更新された第１のＰＣＣルールを上記セッション管理ネットワーク要素に送信する段階と、を有する方法。
［項目２］
上記方法は、
ポリシ制御ネットワーク要素によって、セッション管理ネットワーク要素から第１のイベントレポートを上記受信する段階の前に、
上記ポリシ制御ネットワーク要素によって、第１の加入要求メッセージを上記セッション管理ネットワーク要素に送信する段階であって、上記第１の加入要求メッセージは、上記第１のローカルエリアネットワークの上記指示情報を保持し、上記端末のものであり、上記第１のローカルエリアネットワークに関連するモビリティイベントに加入することを要求するために使用される段階をさらに有する、項目１に記載の方法。
［項目３］
上記第１の加入要求メッセージは、上記第１のローカルエリアネットワークのサービスエリア情報をさらに保持する、項目２に記載の方法。
［項目４］
上記ポリシ制御ネットワーク要素が、上記第１のイベントおよび上記指示情報に基づいて、上記端末に対応する第１のＰＣＣルールを上記更新する段階は、
上記ポリシ制御ネットワーク要素が、上記指示情報に基づいて上記端末のアドレスを決定する段階と、
上記ポリシ制御ネットワーク要素が、上記第１のイベントおよび上記端末のものである上記アドレスに基づいて、上記端末に対応する上記第１のＰＣＣルールを更新する段階と、を有する、項目１から３のいずれか１項に記載の方法。
［項目５］
上記ポリシ制御ネットワーク要素が、上記第１のイベントおよび上記指示情報に基づいて、上記端末に対応する第１のＰＣＣルールを上記更新する段階は、
上記ポリシ制御ネットワーク要素によって、上記第１のローカルエリアネットワークの上記指示情報に基づいて、上記端末の仮想ローカルエリアネットワーク識別子を決定する段階と、
上記第１のイベントおよび上記端末の上記仮想ローカルエリアネットワーク識別子に基づいて、上記ポリシ制御ネットワーク要素により、上記端末に対応する上記第１のＰＣＣルールを更新する段階と、を有する、項目１から３のいずれか１項に記載の方法。
［項目６］
ローカルエリアネットワーク通信方法であって、
セッション管理ネットワーク要素が、第１のイベントレポートをポリシ制御ネットワーク要素に送信する段階であって、上記第１のイベントレポートは、第１のイベントおよび第１のローカルエリアネットワークの指示情報を有し、上記第１のイベントは、端末が上記第１のローカルエリアネットワークのサービスエリアに移動したことまたはサービスエリアから移動したことを有する段階と、
上記セッション管理ネットワーク要素が、上記ポリシ制御ネットワーク要素から、上記端末に対応する更新された第１のポリシおよび課金制御ＰＣＣルールを受信する段階と、
上記セッション管理ネットワーク要素が、上記更新された第１のＰＣＣルールに基づいて、上記端末のセッションを修正する段階と、を有する方法。
［項目７］
上記方法は、
上記セッション管理ネットワーク要素によって、ポリシ制御ネットワーク要素に第１のイベントレポートを上記送信する段階の前に、
上記セッション管理ネットワーク要素によって、上記ポリシ制御ネットワーク要素から第１の加入要求メッセージを受信する段階であって、上記第１の加入要求メッセージは、上記第１のローカルエリアネットワークの上記指示情報を保持し、上記端末のものであり、上記第１のローカルエリアネットワークに関連するモビリティイベントに加入することを要求するために使用される段階、をさらに有する項目６に記載の方法。
［項目８］
上記第１の加入要求メッセージは、上記第１のローカルエリアネットワークのサービスエリア情報をさらに保持する、項目７に記載の方法。
［項目９］
上記セッション管理ネットワーク要素によって、上記更新された第１のＰＣＣルールに基づいて上記端末のセッションを上記修正する段階は、
上記更新された第１のＰＣＣルールが、上記端末が上記第１のローカルエリアネットワークにおいてデータをルーティングすることが許可されていることを示す場合、上記セッション管理ネットワーク要素によって、ユーザプレーン機能ネットワーク要素に第１のルーティングルールを設定するように指示する段階であって、上記第１のルーティングルールは、上記端末のアドレスまたは上記端末の仮想ローカルエリアネットワーク識別子を有する段階を、有する項目６から８のいずれか１項に記載の方法。
［項目１０］
上記方法は、
上記端末の上記セッションが非アクティブ化されている場合、上記セッション管理ネットワーク要素によって、上記端末の上記セッションのユーザプレーン接続をアクティブ化する段階、をさらに有する項目９に記載の方法。
［項目１１］
上記セッション管理ネットワーク要素によって、上記更新された第１のＰＣＣルールに基づいて上記端末のセッションを上記修正する段階は、
上記更新された第１のＰＣＣルールが、上記端末が上記第１のローカルエリアネットワークにおいてデータをルーティングすることが許可されていないことを示す場合、上記セッション管理ネットワーク要素によって、ユーザプレーン機能ネットワーク要素に第１のルーティングルールを削除するように指示する段階であって、上記第１のルーティングルールは、上記端末のアドレスまたは上記端末の仮想ローカルエリアネットワーク識別子を有する段階を、有する項目６から８のいずれか１項に記載の方法。
［項目１２］
上記方法は、
上記端末の上記セッションが、上記第１のローカルエリアネットワークのみへのアクセスを許可されている場合、上記セッション管理ネットワーク要素によって、上記端末の上記セッションのユーザプレーン接続を非アクティブ化するか、または上記端末の上記セッションを直接リリースする段階をさらに有する、項目１１に記載の方法。
［項目１３］
ポリシ制御ネットワーク要素であって、上記ポリシ制御ネットワーク要素は、トランシーバモジュールと処理モジュールとを有し、
上記トランシーバモジュールは、セッション管理ネットワーク要素から第１のイベントレポートを受信するように構成されており、上記第１のイベントレポートは、第１のイベントおよび第１のローカルエリアネットワークの指示情報を有し、上記第１のイベントは、端末が上記第１のローカルエリアネットワークのサービスエリアに移動したことまたはサービスエリアから移動したことを有し、
上記処理モジュールは、上記第１のイベントおよび上記指示情報に基づいて、上記端末に対応する第１のポリシおよび課金制御ＰＣＣルールを更新するように構成され、
上記トランシーバモジュールは、更新された第１のＰＣＣルールを上記セッション管理ネットワーク要素に送信するようにさらに構成される、ポリシ制御ネットワーク要素。
［項目１４］
上記トランシーバモジュールは、上記セッション管理ネットワーク要素に第１の加入要求メッセージを送信するようにさらに構成され、上記第１の加入要求メッセージは、上記第１のローカルエリアネットワークの指示情報を保持し、上記端末のモビリティイベントであって上記第１のローカルエリアネットワークに関連するモビリティイベントに加入することを要求するために使用される、項目１３に記載のポリシ制御ネットワーク要素。
［項目１５］
上記処理モジュールが、上記第１のイベントおよび上記指示情報に基づいて、上記端末に対応する第１のＰＣＣルールを更新するように構成されることは、
上記指示情報に基づいて、上記端末のアドレスを決定することと、上記第１のイベントおよび上記端末のアドレスに基づいて、上記端末に対応する上記第１のＰＣＣルールを更新することと、を有する項目１３または１４に記載のポリシ制御ネットワーク要素。
［項目１６］
上記処理モジュールが、上記第１のイベントおよび上記指示情報に基づいて、上記端末に対応する第１のＰＣＣルールを更新するように構成されていることは、
上記第１のローカルエリアネットワークの指示情報に基づいて、上記端末の仮想ローカルエリアネットワーク識別子を決定することと、上記第１のイベントおよび上記端末のものである仮想ローカルエリアネットワーク識別子に基づいて、上記端末に対応する第１のＰＣＣルールを更新することと、を有する項目１３または１４に記載のポリシ制御ネットワーク要素。
［項目１７］
セッション管理ネットワーク要素であって、上記セッション管理ネットワーク要素は、処理モジュールおよびトランシーバモジュールを有し、
上記トランシーバモジュールは、ポリシ制御ネットワーク要素に第１のイベントレポートを送信するように構成されており、上記第１のイベントレポートは、第１のイベントおよび第１のローカルエリアネットワークの指示情報を有し、上記第１のイベントは、端末が上記第１のローカルエリアネットワークのサービスエリアに移動したことまたは上記サービスエリアから移動したことを有し、
上記トランシーバモジュールは、上記端末に対応する更新された第１のポリシおよび課金制御ＰＣＣルールを上記ポリシ制御ネットワーク要素から受信するようにさらに構成され、
上記処理モジュールは、上記更新された第１のＰＣＣルールに基づいて、上記端末の上記セッションを修正するように構成される、セッション管理ネットワーク要素。
［項目１８］
上記トランシーバモジュールは、上記ポリシ制御ネットワーク要素から第１の加入要求メッセージを受信するようにさらに構成され、上記第１の加入要求メッセージは、上記第１のローカルエリアネットワークの指示情報を保持し、上記端末のものであり、上記第１のローカルエリアネットワークに関連するモビリティイベントに加入することを要求するために使用される、項目１７に記載のセッション管理ネットワーク要素。
［項目１９］
上記処理モジュールが、上記更新された第１のＰＣＣルールに基づいて上記端末のセッションを修正するように構成されていることは、
上記更新された第１のＰＣＣルールが、上記端末が第１のローカルエリアネットワーク内でデータをルーティングすることが許可されていることを示す場合、ユーザプレーン機能ネットワーク要素に第１のルーティングルールを設定するよう指示することを有し、上記第１のルーティングルールは、上記端末のアドレスまたは上記端末の仮想ローカルエリアネットワーク識別子を有する、項目１７または１８に記載のセッション管理ネットワーク要素。
［項目２０］
上記処理モジュールは、上記端末の上記セッションが非アクティブ化されている場合、上記端末の上記セッションのユーザプレーン接続をアクティブ化するようにさらに構成される、項目１９に記載のセッション管理ネットワーク要素。
［項目２１］
上記処理モジュールが、上記更新された第１のＰＣＣルールに基づいて上記端末のセッションを修正するように構成されていることは、
上記更新された第１のＰＣＣルールが、上記端末が第１のローカルエリアネットワーク内でデータをルーティングすることが許可されていないことを示す場合、ユーザプレーン機能ネットワーク要素に第１のルーティングルールを削除するよう指示することを有し、上記第１のルーティングルールは、上記端末のアドレスまたは上記端末の仮想ローカルエリアネットワーク識別子を有する、項目１７または１８に記載のセッション管理ネットワーク要素。
［項目２２］
上記処理モジュールは、上記端末の上記セッションが上記第１のローカルエリアネットワークのみへのアクセスを許可されている場合、上記端末の上記セッションのユーザプレーン接続を非アクティブ化するか、または上記端末の上記セッションを直接リリースするようにさらに構成されている、項目２１に記載のセッション管理ネットワーク要素。
【図１】
2022501930.tif 000016
【図２】
2022501930.tif 000017
【図３】
2022501930.tif 000018
【図４】
2022501930.tif 000019
【図５】
2022501930.tif 000020
【図６】
2022501930.tif 000021
【図７】
2022501930.tif 000022
【図８】
2022501930.tif 000023
【図９】
2022501930.tif 000024
【図１０】
2022501930.tif 000025
【国際調査報告】
2022501930.tif 000026
2022501930.tif 000027
2022501930.tif 000028
2022501930.tif 000029